(57)【特許請求の範囲】
【請求項１】
光を発する発光素子を含む光源と、
前記光を透過する第一の光学素子と、
前記第一の光学素子が透過した光を透過する第二の光学素子と、
前記第二の光学素子を保持する保持部材と、
撓みによってばね力を発生するばね部を含み前記ばね力によって前記第二の光学素子を前記保持部材に押し当て前記第二の光学素子を前記保持部材に保持するばね部材と
を備え、
前記第一の光学素子と前記第二の光学素子とによって、前記ばね部の長辺方向の中央部は前記ばね部の長辺方向の端部に対して撓む照明装置。
【請求項２】
前記第一の光学素子は、前記ばね部の長辺方向の中央部に接する押圧部を備え、
前記第二の光学素子は、前記第二の光学素子の径方向の端部に、前記ばね部の長辺方向の端部を支持する支持部を備え、
前記ばね部の長辺方向の端部に対して、前記押圧部が前記中央部を前記第二の光学素子の方向に押して、前記ばね部を撓ませる請求項１に記載の照明装置。
【請求項３】
前記第一の光学素子は、前記第一の光学素子の径方向の端部に、前記ばね部の長辺方向の端部を支持する支持部を備え、
前記第二の光学素子は、前記ばね部の長辺方向の中央部に接する押圧部を備え、
前記ばね部の長辺方向の中央部に対して、前記支持部が前記ばね部の長辺方向の端部を前記第二の光学素子の方向に押して、前記ばね部を撓ませる請求項１に記載の照明装置。
【請求項４】
前記ばね部の長辺方向の端部は、前記支持部に対して、前記ばね部の撓みに応じて回転可能に支持される請求項２または３に記載の照明装置。
【請求項５】
前記ばね部の長辺方向の端部は、前記支持部に対して、前記ばね部の撓みに応じて前記ばね部の長手方向に移動可能に支持される請求項２から４のいずれか１項に記載の照明装置。
【請求項６】
前記ばね部材は、２つの前記ばね部と前記２つのばね部の端部を接続する２つの接続部とを備え、
前記２つのばね部は、前記第二の光学素子の光軸を挟んで対向して配置され、
前記２つの接続部は、前記第二の光学素子の光軸を挟んで対向して配置される請求項１から５のいずれか１項に記載の照明装置。
【請求項７】
前記接続部は、前記ばね部材を前記保持部材に引っ掛ける引掛け部を備える請求項６に記載の照明装置。
【請求項８】
前記ばね部材は、前記引掛け部によって前記保持部材に保持される請求項７に記載の照明装置。
【請求項９】
前記引掛け部による保持によって、前記ばね部は、前記保持部材の内側の面から離れて配置される請求項８に記載の照明装置。
【請求項１０】
前記第一の光学素子は、前記光源に対して位置決めされ、
前記光源は、前記保持部材に対して位置決めされる請求項１から９のいずれか１項に記載の照明装置。
【発明の詳細な説明】
【技術分野】
【０００１】
本発明は、照明装置に関する。
【背景技術】
【０００２】
二酸化炭素（ＣＯ２）の排出と燃料の消費を抑えるといった環境への負荷を軽減する観点から、車両の省エネルギー化が望まれている。これに伴い、例えば、車両用前照灯装置（以下、前照灯という）などにおいても小型化、軽量化及び省電力化が求められている。「前照灯」とは、輸送機械などに搭載し、操縦者の視認性と外部からの被視認性を向上させるために使われる照明装置である。前照灯は、ヘッドランプ又はヘッドライトとも呼ばれる。【０００３】
そこで、前照灯を例とすると、光源として従来のハロゲンバルブ（ランプ光源）に比べて発光効率の高い半導体光源の採用が望まれている。「半導体光源」とは、例えば、発光ダイオード（ＬＥＤ（Ｌｉｇｈｔ  Ｅｍｉｔｔｉｎｇ  Ｄｉｏｄｅ））又はレーザーダイオード（ＬＤ）などである。【０００４】
前照灯は、道路交通規則等によって定められる所定の配光パターンを満たす。そのため、レンズ等の光学部品は、精度良く配置されている。【０００５】
また、車両の振動に耐え得るよう、部品などを保持する保持部材に光学部品を取り付けた場合には、熱などによる部品の変形によって、光学部品を破損する場合がある。例えば、リング状のレンズ押さえを用いて取り付けた場合などである。特に、光学部品を鏡胴に固定した場合には、光学部品の破損の可能性が高まる。「鏡胴」とは、カメラ等で、レンズ等を支持し、外光の遮断などをする筒型の部品である。【０００６】
このような振動または熱に対応できて、構造を小型化できる光学部品の取り付け構造として、板ばねを用いる方法が知られている。【０００７】
特許文献１では、第２のレンズ枠４に対して付勢する板ばね６が示されている。板ばね６は、所定の周方向ピッチにて複数個配置され、各板ばね６の基端部は止めネジ７によりチャッキングベース５に着脱可能に固定され、他端は自由端となって光軸方向へ浮き上がっている。
【先行技術文献】
【特許文献】
【０００８】
【特許文献１】特開２００５−３００８５９号公報（段落０００７、図２、３）
【発明の概要】
【発明が解決しようとする課題】
【０００９】
しかしながら、板ばね６は片持ち梁構造となっている。そのため、板ばね６の一端を固定しなければならない。例えば、特許文献１では、板ばね６は、チャッキングベース５に止めネジ７によって固定されている。このため、板ばね６を固定する分だけ構造が大きくなっている。
【課題を解決するための手段】
【００１０】
本発明に係る照明装置は、光を発する発光素子を含む光源と、前記光を透過する第一の光学素子と、前記第一の光学素子が透過した光を透過する第二の光学素子と、前記第二の光学素子を保持する保持部材と、撓みによってばね力を発生するばね部を含み前記ばね力によって前記第二の光学素子を前記保持部材に押し当て前記第二の光学素子を前記保持部材に保持するばね部材とを備え、前記第一の光学素子と前記第二の光学素子とによって、前記ばね部の長辺方向の中央部は前記ばね部の長辺方向の端部に対して撓む。
【発明の効果】
【００１１】
本発明は、照明装置を小型化することができる。
【図面の簡単な説明】
【００１２】
【図１】実施の形態１に係る照明装置を説明するための前照灯１００の前面分解斜視図である。
【図２】実施の形態１に係る照明装置を説明するための前照灯１００の側方断面図である。
【図３】実施の形態１に係る照明装置を説明するための保持部材４の側方断面図である。
【図４】実施の形態１に係る照明装置を説明するためのケース部材４、ばね部材２、第二のレンズの側方断面図である。
【図５】実施の形態１に係る照明装置を説明するための前照灯１００の側方半断面図である。
【図６】変形例１に係る照明装置を説明するための前照灯１１０の前面分解斜視図である。
【図７】変形例１に係る照明装置を説明するための前照灯１１０の側方半断面図である。
【図８】変形例２に係る照明装置を説明するための前照灯１２０の前面分解斜視図である。
【図９】変形例２に係る照明装置を説明するための前照灯１２０の側方半断面図である。
【図１０】変形例３に係る照明装置を説明するための前照灯１３０の前面分解斜視図である。
【図１１】変形例３に係る照明装置を説明するための前照灯１３０の側方半断面図である。
【図１２】変形例４に係る照明装置を説明するための前照灯１４０の前面分解斜視図である。
【図１３】変形例４に係る照明装置を説明するための前照灯１４０の側方半断面図である。
【図１４】変形例５に係る照明装置を説明するための前照灯１５０の前面分解斜視図である。
【図１５】変形例５に係る照明装置を説明するための前照灯１５０の側方半断面図である。
【図１６】変形例６に係る照明装置を説明するための前照灯１６０の前面分解斜視図である。
【図１７】変形例６に係る照明装置を説明するための前照灯１７０の前面分解斜視図である。
【発明を実施するための形態】
【００１３】
以下の実施の形態で説明する照明装置は、上述のように車両用の前照灯に適している。また、前照灯以外の車両に用いられる照明装置にも適している。例えば、方向指示器、前部霧灯、尾灯、デイライトまたは車内灯などである。
【００１４】
方向指示器は、車両の曲がる方向を示す点滅灯である。前部霧灯は、ヘッドライトよりも下に取り付けられており、濃霧などで前方の視界が制限されたときに、路面を照らすために使われる。尾灯は、車体の後部の赤いライトのことである。夜間または悪天候によって十分な視界が確保できない時に、車両の存在を後続車に知らせる。デイライトは、昼間に点灯するライトである。走行中の車両の周囲からの視認性を上げることで、交通事故を未然に防ぐ。車内灯は、車内を照らすライトである。車内灯はドアを開けた時に自動で点灯する。また、車内灯を手動で点灯させることもできる。
【００１５】
また、車両以外であっても、小型化が必要な照明装置または環境変化の大きな所で使用される照明装置にも適している。例えば、エレベータのかごの内部の照明などである。エレベータの照明装置は、小型化および軽量化が望まれている。
【００１６】
上述の半導体光源は、固体光源の一種である。固体光源としては、例えば、有機エレクトロルミネッセンス（有機ＥＬ）又は平面上に塗布された蛍光体に励起光を照射して、発光させる光源等が挙げられる。これらの固体光源にも、半導体光源と同様の光学系を用いることが望ましい。
【００１７】
このように、管球光源は含まず、指向性を持つ光源を「固体光源」とよぶ。
【００１８】
「指向性」とは、光などが空間中に出力されるとき、その強度が方向によって異なる性質である。ここで「指向性を有する」とは、上述のように、発光面側に光が進行して、発光面の裏面側には光が進行しないことをいう。つまり、光源から出射される光の発散角は１８０度以下となる。
【００１９】
以下の実施の形態で示す光源は、指向性を持つ光源（固体光源）として説明している。上述のように、主な例としては、発光ダイオード又はレーザーダイオード等の半導体光源である。また、光源は、有機エレクトロルミネッセンス光源又は平面上に塗布された蛍光体に励起光を照射して発光させる光源等も含む。
【００２０】
実施の形態で固体光源を例として採用しているのは、管球光源を用いた場合には、省エネルギー化の要望に応え難いからである。しかし、省エネルギー化の要望が特にない場合には、光源は管球光源であってもよい。
【００２１】
つまり、本発明の光源として、例えば、白熱電球、ハロゲンランプ又は蛍光ランプ等の管球光源を用いてもよい。また、本発明の光源として、例えば、発光ダイオード（以下、ＬＥＤ（Ｌｉｇｈｔ  Ｅｍｉｔｔｉｎｇ  Ｄｉｏｄｅ）とよぶ。）又はレーザーダイオード（以下、ＬＤ（Ｌａｓｅｒ  Ｄｉｏｄｅ）とよぶ。）等の半導体光源を用いてもよい。つまり、本発明の光源は、特に限定されることなく、いかなる光源を用いてもよい。
【００２２】
ただし、二酸化炭素（ＣＯ２）の排出とエネルギーの消費を抑えるといった環境への負荷を軽減する観点から、前照灯装置の光源としては、半導体光源の採用が望ましい。半導体光源は、従来のハロゲンバルブ（ランプ光源）に比べて発光効率の高い。
【００２３】
また、小型化、軽量化の観点からも、半導体光源の採用が望ましい。半導体光源は、従来のハロゲンバルブ（ランプ光源）に比べて指向性があり、光学系を小型化、軽量化できる。
【００２４】
したがって、本発明の以下の説明では、光源は半導体光源の１つであるＬＥＤであるとして説明する。
【００２５】
実施の形態１．
以下の実施の形態および変形例は、前照灯を例として説明する。
【００２６】
図１は、実施の形態１に係る前照灯１００の前面分解斜視図である。図２は、前照灯１００を組み立てた状態の側方断面図である。図３は、実施の形態１に係る保持部材４の側方断面図である。
【００２７】
説明を容易にするため、各図中にＸＹＺ直交座標軸を示す。以下の説明において、前照灯１００の前方を＋Ｚ軸方向とし、後方を−Ｚ軸方向とする。前照灯１００が光を投射する方向が＋Ｚ軸方向である。前照灯１００が車両などに搭載された様態で、前方（＋Ｚ軸方向）を向いて前照灯１００の左側を＋Ｘ軸方向とし、右側を−Ｘ軸方向とする。前照灯１００の上方向（空の方向）を＋Ｙ軸方向とし、前照灯１００の下方向（地面の方向）を−Ｙ軸方向とする。つまり、Ｙ軸は、車両に対して垂直方向である。＋Ｙ軸方向は、車両の上方向である。−Ｙ軸方向は、車両の下方向である。
【００２８】
また、前方を向いて、Ｚ軸を中心軸として、時計回りを＋ＲＺ方向とし、反時計回りを−ＲＺ方向とする。また、前照灯１００を右側（−Ｘ軸方向）から左側（＋Ｘ軸方向）を見て、Ｘ軸を中心軸として、時計回りを＋ＲＸ方向とし、反時計回りを−ＲＸ方向とする。また、前照灯１００を下側（−Ｙ軸方向）から上側（＋Ｙ軸方向）を見て、Ｙ軸を中心軸として、時計回りを＋ＲＹ方向とし、反時計回りを−ＲＹ方向とする。
【００２９】
前照灯１００は、第一のレンズ１、ばね部材２、第二のレンズ３、保持部材４および発光部５を備える。また、前照灯１００は、放熱器６を備えることができる。前照灯１００は、例えば、走行用前照灯（ハイビーム）である。
【００３０】
ばね部材２の特徴を考えると、次のように考えられる。第一のレンズ１は、第一の光学素子と考えられる。第二のレンズ３は、第二の光学素子と考えられる。発光部５は、第二の保持部材と考えられる。この場合には、保持部材４は、第一の保持部材と考える。
【００３１】
以下の実施の形態および変形例では、前照灯を例として説明する。そのため、第一のレンズ１は集光レンズとして説明する。また、第二のレンズ３は、投射レンズとして説明する。
【００３２】
＜発光部５＞
発光部５は、前照灯１００が投射する光を発する。発光部５は、例えば、基板５１と発光素子５２とを備える。
【００３３】
発光素子５２には、例えば、発光ダイオード（ＬＥＤ）、エレクトロルミネッセンス素子又はレーザーダイオード等を用いることができる。以下の説明では、一例として、発光部５が発光ダイオードであるとして説明する。
【００３４】
基板５１には、例えば、発光素子５２を駆動する電子部品などが実装されている。
【００３５】
発光部５は、例えば、発光素子５２を実装した基板５１に、位置決め穴５０１ａ，５０１ｂを備える。基板５１がＸ−Ｙ平面に平行に配置された場合には、位置決め穴５０１ａ，５０１ｂは、Ｚ軸方向に平行な穴である。基板５１には、発光素子５２が実装されている。基板５１には、位置決め穴５０１ａ，５０１ｂが設けられている。
【００３６】
＜放熱器６＞
放熱器６は、発光部５が発する熱を外部へ逃がす。例えば、放熱器６は、発光素子５２が発する熱を放熱する。放熱器６は、基板５１に実装された電子部品が発する熱を放熱する。
【００３７】
放熱器６は、例えば、発光部５に取り付けられている。例えば、放熱器６は、発光部５の基板５１に取り付けられている。また、放熱器６は、発光部５の後方（−Ｚ軸側）に取り付けられている。基板５１の表面側には、発光素子５２が取り付けられている。基板５１の裏面側には、放熱器６が取り付けられている。
【００３８】
放熱器６は、例えば、位置決めピン６０１ａ，６０１ｂおよび位置決めピン６０２ａ，６０２ｂを備える。位置決めピン６０１ａ，６０１ｂは、Ｚ軸方向に平行な軸である。位置決めピン６０２ａ，６０２ｂは、Ｚ軸方向に平行な軸である。位置決めピン６０１ａ，６０１ｂは、取り付け面６０３に対して垂直な軸である。位置決めピン６０２ａ，６０２ｂは、取り付け面６０３に対して垂直な軸である。
【００３９】
位置決めピン６０１ａ，６０１ｂは、放熱器６の取り付け面６０３上に配置されている。位置決めピン６０２ａ，６０２ｂは、放熱器６の取り付け面６０３上に配置されている。放熱器６の取り付け面６０３は、発光部５と接する面である。放熱器６の取り付け面６０３は、基板５１と接する面である。図１では、取り付け面６０３は、例えば、放熱器６の＋Ｚ軸側の面である。取り付け面６０３は、例えば、Ｘ−Ｙ平面に平行な面である。
【００４０】
発光部５を放熱器６に取り付ける際に、位置決めピン６０１ａ，６０１ｂは、位置決め穴５０１ａ，５０１ｂに挿入される。位置決めピン６０１ａ，６０１ｂは、位置決め穴５０１ａ，５０１ｂに挿入される。位置決めピン６０１ａ，６０１ｂは、位置決め穴５０１ａ，５０１ｂに挿入される。これによって、発光部５は、放熱器６に対して位置決めされる。位置決めピン６０１ａ，６０１ｂと位置決め穴５０１ａ，５０１ｂとによって、放熱器６に対する発光部５のＸ−Ｙ平面上の位置は決められる。つまり、取り付け面６０３上において、放熱器６に対する発光部５の位置は決められる。
【００４１】
図１では、光源５０は、発光部５と放熱器６とを備えている。光源５０は、発光部５を備える。光源５０は、放熱器６を備えることができる。例えば、発光部５に熱的な問題が無い場合には、光源５０が放熱器６を備える必要はない。
【００４２】
＜集光レンズ１（第一のレンズ１）＞
第一のレンズ１は、例えば、発光部５から出射された光を集光する。第一のレンズ１は、例えば、集光レンズである。第一のレンズ１は、例えば、屈折による集光部分（屈折部１０１）と反射による集光部分（反射部１０２）とを備える光学素子である。なお、説明を容易にするために、屈折による集光部分（屈折部１０１）と反射による集光部分（反射部１０２）とを備える光学素子を集光レンズとして説明する。
【００４３】
屈折部１０１は、第一のレンズ１の光軸と交差している。つまり、集光レンズ１の光軸は、屈折部１０１の面と交点を有する。反射部１０２は、集光レンズ１の光軸に対して垂直な方向において、屈折部１０１の周辺に配置されている。つまり、反射部１０２は屈折部１０１の外周側に配置されている。
【００４４】
集光レンズ１は、発光部５から出射された光のうち、発散角の小さい光線を屈折部１０１で屈折して集光する。集光レンズ１は、発光部５から出射された光のうち、発散角の大きい光線を反射部１０２で反射して集光する。
【００４５】
つまり、反射部１０２は、屈折部１０１で集光される光よりも大きな発散角で発光部５から出射された光を集光する。反射部１０２で集光される光は、屈折部１０１で集光される光よりも大きな発散角で発光部５から出射される。
【００４６】
それぞれの光線は、集光レンズ１によって、集光レンズ１の前方（＋Ｚ軸方向）に集光される。それぞれの光線は、集光レンズ１によって集光される。例えば、集光レンズ１の光軸方向において、屈折部１０１によって集光された光線の集光位置と、反射部１０２によって集光された光線の集光位置とは、異なっても良い。
【００４７】
なお、集光レンズ１は、上述の機能および構成に限るものではなく、一般的なレンズを用いても良い。しかし、大きな発散角を有するＬＥＤ光源を用いる場合には、上述の構成を有する集光レンズを用いることで、小型で効率良く光を集光することができる。「発散角」とは、光の広がる角度である。
【００４８】
集光レンズ１は、当接部１０７ａ，１０７ｂを備える。当接部１０７ａ，１０７ｂは、例えば、集光レンズ１のＹ軸方向の端部に設けられている。当接部１０７ａは、例えば、集光レンズ１の＋Ｙ軸方向の端部に設けられている。当接部１０７ｂは、例えば、集光レンズ１の−Ｙ軸方向の端部に設けられている。つまり、当接部１０７ａ，１０７ｂは、集光レンズ１の外周に設けられている。当接部１０７ａ，１０７ｂの接触面は、集光レンズ１の光を入射する側に設けられている。
【００４９】
当接部１０７ａ，１０７ｂは、例えば、発光部５の基板５１に接している。当接部１０７ａ，１０７ｂの−Ｚ軸側の面は、基板５１の＋Ｚ軸側の面に接する。そして、光軸方向（Ｚ軸方向）において、第一のレンズ１と発光部５とは、位置決めされている。当接部１０７ａ，１０７ｂの−Ｚ軸側の面は、接触面である。当接部１０７ａ，１０７ｂの接触面は、基板５１に接する。当接部１０７ａ，１０７ｂの接触面は、例えば、集光レンズ１の光軸に対して垂直な面である。
【００５０】
集光レンズ１は、位置決め穴１０４ａ，１０４ｂを備える。図１では、集光レンズ１の当接部１０７ａ，１０７ｂに、位置決め穴１０４ａ，１０４ｂが設けられている。位置決め穴１０４ａは、当接部１０７ａに設けられている。位置決め穴１０４ｂは、当接部１０７ｂに設けられている。位置決め穴１０４ａ，１０４ｂは、当接部１０７ａ，１０７ｂの接触面に対して垂直な穴である。
【００５１】
放熱器６の位置決めピン６０１ａは、発光部５の位置決め穴５０１ａと集光レンズ１の位置決め穴１０４ａとに挿入される。また、放熱器６の位置決めピン６０１ｂは、発光部５の位置決め穴５０１ｂと集光レンズ１の位置決め穴１０４ｂとに挿入される。
【００５２】
これによって、集光レンズ１の光軸に垂直な方向において、発光部５と集光レンズ１とは、位置決めされている。同様に、集光レンズ１の光軸に垂直な方向において、発光部５と放熱器６とは、位置決めされる。また、集光レンズ１の光軸に垂直な方向において、集光レンズ１と放熱器６とは、位置決めされる。
【００５３】
発光部５は、集光レンズ１と放熱器６とに挟まれている。発光部５は、集光レンズ１の光軸方向において、集光レンズ１と放熱器６とに挟まれている。発光部５は、集光レンズ１と共に、放熱器６に保持される。発光部５は、放熱器６に保持される。集光レンズ１は、放熱器６に保持される。
【００５４】
なお、発光部５を放熱器６に位置決めする位置決めピンと、集光レンズ１を放熱器６に位置決めする位置決めピンとを、別のピンとしても良い。
【００５５】
図１では、放熱器６は、５枚の放熱フィンを備えている。しかし、放熱フィンの形状又は数はこれに限られない。
【００５６】
集光レンズ１は、押圧部１０３ａ，１０３ｂを備えている。「押圧」とは、力を加えて押し付けることである。
【００５７】
押圧部１０３ａ，１０３ｂは、集光レンズ１の＋Ｚ軸側の面に設けられている。図１では、集光レンズ１は、２つの押圧部１０３ａ，１０３ｂを備えている。押圧部１０３ａ，１０３ｂは、集光レンズ１の光軸の＋Ｘ軸側と−Ｘ軸側とに設けられている。押圧部１０３ａは集光レンズ１の＋Ｘ軸側に位置する。押圧部１０３ｂは集光レンズ１の−Ｘ軸側に位置する。押圧部１０３ａ，１０３ｂは、反射部１０２で反射した光が出射する領域の外側に配置されている。押圧部１０３ａ，１０３ｂは、集光レンズ１が光を出射する側（＋Ｚ軸側）に設けられている。
【００５８】
押圧部１０３ａ，１０３ｂは、＋Ｚ軸側に突出した凸形状を有している。図１では、押圧部１０３ａ，１０３ｂは、例えば、三角形形状をしている。三角形形状の１つの頂点は、凸形状の最も突出した位置に対応している。また、押圧部１０３ａ，１０３ｂは、例えば、板形状をしている。図１では、押圧部１０３ａ，１０３ｂは、Ｙ−Ｚ平面に平行に配置されている。押圧部１０３ａ，１０３ｂは、集光レンズ１が光を出射する側に突出している。
【００５９】
＜投射レンズ３（第二のレンズ３）＞
第二のレンズ３は、第一のレンズ１（集光レンズ）から出射された光を透過する。そして、第二のレンズ３は、第一のレンズ１から出射された光を前方（＋Ｚ軸方向）に出射する。
【００６０】
第二のレンズ３は、例えば、投射レンズである。以下において、第二のレンズ３を投射レンズ３として説明する。投射レンズ３は、集光レンズ１が形成した配光パターンを前方に投影する。投射レンズ３は、集光レンズ１が形成した配光パターンを前方の照射面に投影する。
【００６１】
投射レンズ３は、集光レンズ１が形成した第１の配光パターンを第２の配光パターンとして投影する。第１の配光パターンは、前照灯１００の内部に形成される配光パターンである。第２の配光パターンは、前照灯１００の前方に投影される配光パターンである。
【００６２】
照射面は、車両の前方の所定の位置に設定される仮想の面である。照射面は、後述するＸ−Ｙ平面に平行な面である。車両の前方の所定の位置は、前照灯装置の光度又は照度を計測する位置で、道路交通規則等で規定されている。例えば、欧州では、ＵＮＥＣＥ（Ｕｎｉｔｅｄ  Ｎａｔｉｏｎｓ  Ｅｃｏｎｏｍｉｃ  Ｃｏｍｍｉｓｓｉｏｎ  ｆｏｒ  Ｅｕｒｏｐｅ）が定める自動車用の前照灯装置の光度の計測位置は光源から２５ｍの位置である。日本では、日本工業標準調査会（ＪＩＳ）が定める光度の計測位置は光源から１０ｍの位置である。
【００６３】
投射レンズ３は、集光レンズ１の前方側（＋Ｚ軸方向）に配置されている。
【００６４】
投射レンズ３は、前方（＋Ｚ軸側）から見ると、例えば、矩形形状をしている。
【００６５】
投射レンズ３は、脚部３０２ａ，３０２ｂを備えている。脚部３０２ａ，３０２ｂは、投射レンズ３の入射面側（−Ｚ軸側）に配置されている。脚部３０２ａ，３０２ｂは、投射レンズ３が光を入射する側（−Ｚ軸側）に配置されている。脚部３０２は、撓み部２０１の長辺方向の両方の端部（支持部２０７）を支持する支持部である。脚部３０２は、投射レンズ３の径方向の端部に備えられている。
【００６６】
撓み部２０１は、保持部材４の内側の面から離れて配置されている。これによって、撓み部２０１のばね力は保持部材４の内側から影響を受けない。
【００６７】
脚部３０２ａ，３０２ｂは、例えば、投射レンズ３の＋Ｙ軸側と−Ｙ軸側に設けられている。脚部３０２ａは、投射レンズ３の＋Ｙ軸側に設けられている。脚部３０２ｂは、投射レンズ３の−Ｙ軸側に設けられている。
【００６８】
しかし、例えば、前照灯１００が横長の配光パターンを投影する場合には、脚部３０２ａ，３０２ｂを投射レンズ３の＋Ｘ軸側と−Ｘ軸側に設けることができる。「横長の配光パターン」とは、水平方向（Ｘ軸方向）が垂直方向（Ｙ軸方向）よりも長い配光パターンである。横長の配光パターンの場合には、投射レンズ３の横方向の寸法は、縦方向の寸法よりも大きくなる。そして、ばね部材２の撓み部２０１ａ、２０１ｂを水平方向（Ｘ軸方向）に平行に配置する。これによって、ばね部材２の撓み部２０１ａ、２０１ｂの長さを長くすることができる。
【００６９】
脚部３０２ａ，３０２ｂは、投射レンズ３の−Ｚ軸側に突出している。脚部３０２ａ，３０２ｂは、例えば、板形状をしている。図１では、脚部３０２ａ，３０２ｂは、Ｚ−Ｘ平面に平行な板形状をしている。脚部３０２ａ，３０２ｂは、投射レンズ３が光を入射する側に突出している。
【００７０】
投射レンズ３は、当接部３０１ａ，３０１ｂ，３０１ｃ，３０１ｄを備えている。当接部３０１は、例えば、投射レンズ３の出射面側（＋Ｚ軸側）の四隅に設けられている。「当接」とは、その部分に当たり，接することである。当接部３０１は、投射レンズ３が光を出射する側に設けられている。
【００７１】
図１では、当接部３０１は、投射レンズ３の出射面に対する凹部である。当接部３０１の凹部は、Ｘ−Ｙ平面に平行な面を持っている。４つの当接部３０１ａ，３０１ｂ，３０１ｃ，３０１ｄのＸ−Ｙ平面に平行な面は、１つの面上に位置している。
【００７２】
なお、投射レンズ３を安定して保持するために、当接部３０１を３箇所または５箇所とすることもできる。
【００７３】
また、投射レンズ３を導光部材の出射面にレンズ機能を持たせた光学素子とすることができる。レンズ機能は、例えば、投射レンズの機能である。この場合には、集光レンズ１から出射された光は、導光部材の内部を伝播する。そして、導光部材の内部を伝播した光は、出射面を透過する際に、前方に向けて投射される。導光部材の出射面は、光部材の内部を伝播した光を投射する。
【００７４】
＜保持部材４＞
保持部材４は、例えば、発光部５、集光レンズ１および投射レンズ３を内部に納めている。保持部材４は、例えば、発光部５、集光レンズ１および投射レンズ３を保持している。つまり、保持部材４は、鏡胴の機能を有する。なお、保持部材４は、例えば、発光部５、集光レンズ１および投射レンズ３の一部の部品を保持することができる。
【００７５】
保持部材４は、当接部４０２ａ，４０２ｂを備える。当接部４０２ａ，４０２ｂは、放熱器６と接触する部分である。当接部４０２ａ，４０２ｂは、放熱器６の取り付け面６０３と接触する。
【００７６】
図１では、当接部４０２ａ，４０２ｂは、保持部材４の−Ｚ軸側に設けられている。当接部４０２ａ，４０２ｂの接触面は、Ｘ−Ｙ平面に平行な面である。投射レンズ３が保持部材４に保持された状態で、当接部４０２ａ，４０２ｂは、投射レンズ３が光を入射する側に設けられている。
【００７７】
当接部４０２ａ，４０２ｂは、例えば、フランジ形状をしている。そして、当接部４０２ａ，４０２ｂは、例えば、＋Ｙ軸側および−Ｙ軸側に突出するフランジ形状をしている。当接部４０２ａは、＋Ｙ軸側に突出するフランジ形状をしている。当接部４０２ｂは、−Ｙ軸側に突出するフランジ形状をしている。
【００７８】
保持部材４は、位置決め穴４０１ａ，４０１ｂを備える。位置決め穴４０１ａ，４０１ｂは、Ｚ軸に平行な穴である。位置決め穴４０１ａ，４０１ｂは、当接部４０２ａ，４０２ｂに設けられている。位置決め穴４０１ａ，４０１ｂは、当接部４０２ａ，４０２ｂの接触面に垂直な穴である。
【００７９】
放熱器６の位置決めピン６０２ａ，６０２ｂは、保持部材４の位置決め穴４０１ａ，４０１ｂに挿入される。そして、保持部材４は、放熱器６に対して位置決めされる。
【００８０】
つまり、放熱器６の取り付け面６０３と当接部４０２ａ，４０２ｂの接触面とが接する。これによって、放熱器６に対する保持部材４のＺ軸方向の位置が決められる。また、放熱器６の位置決めピン６０２ａ，６０２ｂが保持部材４の位置決め穴４０１ａ，４０１ｂに挿入されることで、放熱器６に対する保持部材４のＸ−Ｙ平面上の位置が決められる。Ｚ軸方向は、投射レンズ３の光軸方向である。つまり、投射レンズ３の光軸方向において、放熱器６に対する保持部材４の位置が決められる。
【００８１】
保持部材４は、ガイド面４０３を備える。ガイド面４０３は、投射レンズ３を保持部材４の内部に納める際に、ガイドする面である。上述のように、投射レンズ３は、前方（＋Ｚ軸側）から見ると、矩形形状をしている。ガイド面４０３は、投射レンズ３の四隅をガイドする。また、ガイド面４０３は、投射レンズ３を保持する面である。
【００８２】
ガイド面４０３は、保持部材４の内側に形成されている。ガイド面４０３は、Ｚ軸方向に延びる面である。ガイド面４０３は、例えば、Ｚ−Ｘ平面に平行な面である。ガイド面４０３は、保持部材４の四隅に設けられている。
【００８３】
図１では、ガイド面４０３は、Ｚ−Ｘ平面に平行な面である。投射レンズ３の＋Ｙ軸側の側面は、保持部材４のガイド面４０３ａ，４０３ｃに接する。投射レンズ３の−Ｙ軸側の側面は、保持部材４のガイド面４０３ｂ，４０３ｄに接する。
【００８４】
投射レンズ３の＋Ｘ軸側の側面は、保持部材４の＋Ｘ軸側の内側の面に接する。投射レンズ３の−Ｘ軸側の側面は、保持部材４の−Ｘ軸側の内側の面に接する。
【００８５】
これらにより、投射レンズ３は、保持部材４に対して、Ｘ軸方向およびＹ軸方向に位置決めされる。
【００８６】
保持部材４は、当接部４０４ａ，４０４ｂ，４０４ｃ，４０４ｄを備えている。当接部４０４は、保持部材４の＋Ｚ軸側の四隅に設けられている。当接部４０４は、第二のレンズ３を納める空洞側に突出している。そして、当接部４０４は、例えば、−Ｚ軸側にＸ−Ｙ平面に平行な面を備えている。
【００８７】
投射レンズ３は、−Ｚ軸側から光を入射する。投射レンズ３は、＋Ｚ軸側から光を出射する。Ｘ−Ｙ平面は、投射レンズ３の光軸に垂直な平面である。
【００８８】
保持部材４は、穴４０５を備えている。穴４０５は、保持部材４に対する、ばね部材２の位置を決める穴である。穴４０５は、例えば、保持部材４に対する、ばね部材２の位置を仮に決める穴である。
【００８９】
穴４０５ａは、保持部材４の＋Ｙ軸側の側面に設けられている。穴４０５ｂは、保持部材４の−Ｙ軸側の側面に設けられている。穴４０５は、投射レンズ３が保持部材４に納められた際の脚部３０２の位置よりも−Ｚ軸側に位置している。
【００９０】
図３に示すように、穴４０５ａ，４０５ｂは、傾斜面４０６ａ，４０６ｂを備える。傾斜面４０６ａは、Ｘ−Ｚ平面に対して、＋ＲＸ方向に傾いている。傾斜面４０６ｂは、Ｘ−Ｚ平面に対して、−ＲＸ方向に傾いている。つまり、傾斜面４０６は、−Ｚ軸側に面が向くように傾いている。＋Ｚ軸側の位置での傾斜面４０６ａ，４０６ｂの間隔は、−Ｚ軸側の位置での傾斜面４０６ａ，４０６ｂの間隔よりも狭い。
【００９１】
投射レンズ３は、保持部材４の−Ｚ軸側から挿入される。投射レンズ３は、保持部材４の内部に＋Ｚ軸方向に向けて挿入される。投射レンズ３は、例えば、−Ｚ軸方向側から保持部材４の内部に挿入される。投射レンズ３は、ガイド面４０３にガイドされながら、＋Ｚ軸方向に挿入される。投射レンズ３は、例えば、投射レンズ３の四隅がガイド面４０３にガイドされて、＋Ｚ軸方向に挿入される。
【００９２】
そして、投射レンズ３の当接部３０１が当接部４０４に当接する。当接部４０４は、投射レンズ３の当接部３０１に接する。当接部３０１ａ，３０１ｂ，３０１ｃ，３０１ｄは、当接部４０４ａ，４０４ｂ，４０４ｃ，４０４ｄにそれぞれ接する。当接部３０１ａ，３０１ｂ，３０１ｃ，３０１ｄは、投射レンズ３に設けられている。当接部４０４ａ，４０４ｂ，４０４ｃ，４０４ｄは、保持部材４に設けられている。
【００９３】
当接部３０１が当接部４０４に接すると、保持部材４に対する投射レンズ３の位置が決まる。当接部４０４は、保持部材４に対する、投射レンズ３の光軸方向（Ｚ軸方向）の位置を決める。
【００９４】
保持部材４に対する投射レンズ３の位置決め方法は、位置決めピンおよび位置決め穴を用いる方法などでもよい。
【００９５】
また、例えば、脚部３０２ａ，３０２ｂの位置に、それぞれリブを設けることもできる。脚部３０２ａには、＋Ｙ軸方向に延びるリブを設ける。脚部３０２ｂには、−Ｙ軸方向に延びるリブを設ける。これらのリブが保持部材４に接することで、保持部材４に対する第二のレンズ３の位置が決まる。リブは、例えば、突起部である。脚部３０２ａ，３０２ｂの位置に、それぞれ突起部を設けることもできる。
【００９６】
この構成の場合には、投射レンズ３に設けられている当接部３０１、保持部材４に備えられている当接部４０４を設ける必要はない。
【００９７】
＜ばね部材２＞
ばね部材２は、保持部材４の内部で、集光レンズ１および投射レンズ３に対して付勢する。「付勢」とは、ばね等がエネルギーを蓄えた状態で力を与えているこという。そのため、付勢力とは、例えば、ばね力または弾性力の意味である。ばね部材２は、集光レンズ１および投射レンズ３に対してばね力を加える。ばね部材２は、集光レンズ１に対してばね力を加える。ばね部材２は、投射レンズ３に対してばね力を加える。
【００９８】
ばね部材２は、ばね性を有している。ばね部材２は、例えば、板ばねである。ばね部材２は、例えば、金属の薄板を折り曲げて形成されている。
【００９９】
ばね部材２は、例えば、枠形状をしている。枠の内側の領域は、集光レンズ１から出射された光が投射レンズ３に向けて通る領域である。
【０１００】
ばね部材２は、撓み部２０１ａ，２０１ｂを備える。撓み部２０１ａ，２０１ｂは、ばね部材２の枠形状を構成する要素である。
【０１０１】
撓み部２０１ａ，２０１ｂは、例えば、Ｘ−Ｙ平面に平行な板形状の部分を含む。撓み部２０１ａは、ばね部材２の＋Ｘ軸側に位置する。撓み部２０１ｂは、ばね部材２の−Ｘ軸側に位置する。
【０１０２】
撓み部２０１ａ，２０１ｂは、ばねの領域を備えている。つまり、撓み部２０１ａ，２０１ｂは、ばねとして機能する領域を備えている。つまり、撓み部２０１ａ，２０１ｂは、ばね部である。実施の形態１では、ばねの領域は板ばねである。撓み部２０１ａ，２０１ｂの板ばねは、例えば、投射レンズ３の光軸に垂直な面に対して平行に配置される。
【０１０３】
接続部２０４は、撓み部２０１ａと撓み部２０１ｂとを繋ぐ部分である。接続部２０４は、例えば、Ｚ−Ｘ平面に平行な板形状の部分を含む。接続部２０４は、ばね部材２の枠形状を構成する要素である。
【０１０４】
ばね部材２は、例えば、２つの撓み部２０１ａ，２０１ｂ（ばね部）と２つの接続部２０４とを備えている。接続部２０４ａ，２０４ｂは、撓み部２０１ａ，２０１ｂ（ばね部）の端部を接続する。２つの撓み部２０１ａ，２０１ｂは、投射レンズ３の光軸を挟んで対向して配置されている。２つの接続部２０４ａ，２０４ｂは、投射レンズ３の光軸を挟んで対向して配置されている。撓み部２０１ａ，２０１ｂと接続部２０４ａ，２０４ｂとは、枠形状を作っている。
【０１０５】
実施の形態１では、例えば、ばね部材２は、板材を折り曲げて作製されている。接続部２０４は、撓み部２０１に対して９０度折り曲げられている。実施の形態１では、接続部２０４は、撓み部２０１に対して−Ｚ軸方向に折り曲げられている。
【０１０６】
ばね部材２は、引掛け部２０２ａ，２０２ｂを備える。引掛け部２０２は、保持部材４の穴４０５に引掛けられる。
【０１０７】
引掛け部２０２は、Ｌ字形状をしている。引掛け部２０２は、例えば、接続部２０４のＸ軸方向の中心に位置している。引掛け部２０２は、接続部２０４から−Ｚ軸方向に延びている。引掛け部２０２のＬ字形状の先端は、ばね部材２の枠形状の外側に折り曲げられている。引掛け部２０２は、例えば、撓み部２０１に接続されている接続部２０４の２つの端部の中心に位置している。
【０１０８】
図４に示すように、引掛け部２０２ａは、曲げ部２０２ａ１および先端部２０２ａ２を備えている。曲げ部２０２ａ１は、Ｚ−Ｘ平面に平行な板状部である。先端部２０２ａ２は、Ｘ−Ｙ平面に平行な板状部である。引掛け部２０２ａは、ばね部材２の＋Ｙ軸側に位置している。先端部２０２ａ２は、ばね部材２の枠形状の外側に折り曲げられた部分である。引掛け部２０２ａは、接続部２０４ａに接続している。引掛け部２０２ａは、Ｘ−Ｚ平面に平行な板状部（曲げ部２０２ａ１）とＸ−Ｙ平面に平行な板状部（先端部２０２ａ２）とを含む。先端部２０２ａ２は、曲げ部２０２ａ１に対して、＋Ｙ軸方向に延びている。先端部２０２ａ２は、曲げ部２０２ａ１の先端に設けられている。先端部２０２ａ２は、穴４０５ａに挿入される。
【０１０９】
引掛け部２０２ｂは、曲げ部２０２ｂ１および先端部２０２ｂ２を備えている。曲げ部２０２ｂ１は、Ｚ−Ｘ平面に平行な板状部である。先端部２０２ｂ２は、Ｘ−Ｙ平面に平行な板状部である。引掛け部２０２ｂは、ばね部材２の−Ｙ軸側に位置している。先端部２０２ｂ２は、ばね部材２の枠形状の外側に折り曲げられた部分である。引掛け部２０２ｂは、接続部２０４ｂに接続している。先端部２０２ｂ２は、曲げ部２０２ｂ１に対して、−Ｙ軸方向に延びている。先端部２０２ｂ２は、曲げ部２０２ｂ１の先端に設けられている。先端部２０２ｂ２は、穴４０５ｂに挿入される。
【０１１０】
以上のように、ばね部材２は、撓み部２０１と引掛け部２０２とを備える。また、ばね部材２は、集光レンズ１から投射レンズ３に向かう光線を遮らない形状をしている。
【０１１１】
＜ばね部材２による投射レンズ３の仮組の方法＞
図４は、ばね部材２による投射レンズ３の仮組の方法を説明するための側方断面図である。図４（Ａ）は、投射レンズ３を保持部材４の内部に配置した状態を示している。ばね部材２は、保持部材４の内部に取り付けられる直前である。図４（Ｂ）は、投射レンズ３に加えて、ばね部材２を保持部材４の内部に配置した状態を示している。
【０１１２】
投射レンズ３を保持部材４の内部に配置した後に、ばね部材２は、保持部材４の−Ｚ軸方向から＋Ｚ方向に向けて、保持部材４の内部に挿入される。ばね部材２が保持部材４の内部に挿入されるとき、ばね部材２の引掛け部２０２ａ，２０２ｂは、保持部材４の傾斜面４０６ａ，４０７ｂに接触する。つまり、先端部２０２ａ２，２０２ｂ２は、保持部材４の傾斜面４０６ａ，４０６ｂに接する。これに伴い、曲げ部２０２ａ１は、−Ｙ軸方向に撓む。引掛け部２０２ａは、−Ｙ軸方向に変形する。曲げ部２０２ｂ１は、＋Ｙ軸方向に撓む。引掛け部２０２ｂは、＋Ｙ軸方向に変形する。
【０１１３】
更に、ばね部材２を＋Ｚ軸方向へ移動させると、引掛け部２０２は保持部材４に設けられた穴４０５に挿入される。先端部２０２ａ２，２０２ｂ２は、保持部材４に設けられた穴４０５ａ，４０５ｂに挿入される。そして、ばね部材２は元の形状に戻る。曲げ部２０２ａ１，２０２ｂ１の撓みは、元に戻る。
【０１１４】
ばね部材２が元の形状に戻ると、引掛け部２０２ａの＋Ｙ軸側の端部は、傾斜面４０６ａの−Ｙ軸側の端部よりも＋Ｙ軸側に位置する。先端部２０２ａ２の＋Ｙ軸側の端部は、傾斜面４０６ａの−Ｙ軸側の端部よりも＋Ｙ軸側に位置する。先端部２０２ａ２は、曲げ部２０２ａ１よりも＋Ｙ軸側に位置する。また、引掛け部２０２ｂの−Ｙ軸側の端部は、傾斜面４０６ｂの＋Ｙ軸側の端部よりも−Ｙ軸側に位置する。先端部２０２ｂ２の−Ｙ軸側の端部は、傾斜面４０６ｂの＋Ｙ軸側の端部よりも−Ｙ軸側に位置する。先端部２０２ｂ２は、曲げ部２０２ｂ１よりも−Ｙ軸側に位置する。このため、ばね部材２は、保持部材４から外れない。従って、第二のレンズ３も保持部材４から外れない。
【０１１５】
この仮組によって、組立時などの作業負荷を軽減することができる。
【０１１６】
＜ばね部材２による投射レンズ３の固定方法＞
図５は、ばね部材２によって、投射レンズ３を保持部材４に保持する方法を説明するための側方断面図である。図５（Ａ）は、ばね部材２によって、投射レンズ３が保持部材４に仮組されている状態を示している。つまり、図４（Ｂ）の状態である。図５（Ｂ）は、集光レンズ１と発光部５とを放熱器６に取り付けたユニット（光源ユニット５５）を保持部材４の内部に配置した状態を示している。
【０１１７】
集光レンズ１および発光部５は、例えば、放熱器６に保持されている。光源ユニット５５は、第一のレンズ１と発光部５とを放熱器６に取り付けたユニットである。
【０１１８】
光源ユニット５５は、保持部材４の−Ｚ軸方向から＋Ｚ軸方向に向けて挿入される。このとき、押圧部１０３は、撓み部２０１に接触する。押圧部１０３は、集光レンズ１に設けられている。撓み部２０１は、ばね部材２に設けられている
【０１１９】
図５に示すように、放熱器６の取り付け面６０３が保持部材４の当接部４０２ａ，４０２ｂに接するまで、放熱器６を＋Ｚ軸方向に移動させる。このとき、押圧部１０３は、撓み部２０１のＹ軸方向の中央部２０６を、＋Ｚ軸方向に押す。中央部２０６は、撓み部２０１のＹ軸方向の中央の部分である。撓み部２０１は、押圧部１０３に押されて、＋Ｚ軸方向への凸形状となる。撓み部２０１ａ，２０１ｂの中央部２０６ａ，２０６ｂは、＋Ｚ軸方向に撓んでいる。支持部２０７ａ，２０７ｂは、撓み部２０１のＹ軸方向の端部に位置している。支持部２０７ａ，２０７ｂは、脚部３０２ａ，３０２ｂに接している。このため、撓み部２０１は、中央部に集中荷重を受ける両端が単純支持はりと同様に撓む。
【０１２０】
「単純支持」とは、ピン支持とローラ支持との組み合わせの支持方法である。ここでは、脚部３０２ａ，３０２ｂに接する支持部２０７ａ，２０７ｂが、撓み部２０１の撓みに応じて回転でき、撓み部２０１の長手方向に移動できることを示している。つまり、支持部２０７ａ，２０７ｂは、脚部３０２ａ，３０２ｂに対して、撓み部２０１の撓みに応じて回転できる。また、支持部２０７ａ，２０７ｂは、脚部３０２ａ，３０２ｂに対して、撓み部２０１の撓みに応じて撓み部２０１の長手方向に移動できる。支持部２０７ａ，２０７ｂの脚部３０２ａ，３０２ｂに接する部分は、脚部３０２ａ，３０２ｂに対して、撓み部２０１の撓みに応じて回転できる。また、支持部２０７ａ，２０７ｂの脚部３０２ａ，３０２ｂに接する部分は、脚部３０２ａ，３０２ｂに対して、撓み部２０１の撓みに応じて撓み部２０１の長手方向に移動できる。
【０１２１】
支持部２０７ａ，２０７ｂは、投射レンズ３の脚部３０２ａ，３０２ｂに接する。支持部２０７ａ，２０７ｂは、撓み部２０１の長辺方向の端部である。支持部２０７ａ，２０７ｂは、撓み部２０１（ばね部）の長辺方向の両方の端部である。脚部３０２ａ，３０２ｂは、投射レンズ３の径方向の端部に設けられている。集光レンズ１の押圧部１０３は、撓み部２０１の長辺方向の中央部分に接する。中央部２０６は、撓み部２０１の長辺方向の中央部分である。押圧部１０３は、中央部２０６を投射レンズ３の方向に押す。そして、押圧部１０３は、撓み部２０１を撓ませることで、撓み部２０１にばね力を発生させる。
【０１２２】
ばね部材２は、ばね性を有する。撓み部２０１は、ばね性を有する。このため、撓み部２０１が＋Ｚ軸方向に凸形状となるように変形することによって、撓み部２０１のＹ軸方向の端部（支持部２０７）は、＋Ｚ軸方向のばね力を発生させる。つまり、支持部２０７ａ，２０７ｂは、投射レンズ３を＋Ｚ軸方向に押す。支持部２０７は、撓み部２０１の長手方向の端部である。
【０１２３】
図５（Ｂ）に示す構成では、支持部２０７ａ，２０７ｂは、投射レンズ３の脚部３０２ａ，３０２ｂに接している。図５（Ｂ）では、支持部２０７ａ，２０７ｂは、投射レンズ３の脚部３０２ａ，３０２ｂを＋Ｚ軸方向に押す。
【０１２４】
このため、ばね部材２の変形により生じた＋Ｚ軸方向のばね力は、投射レンズ３を＋Ｚ軸方向に押す力となる。
【０１２５】
また、投射レンズ３は、当接部３０１が当接部４０４に接することによって、保持部材４に対して、＋Ｚ軸方向へ移動することができない。従って、投射レンズ３は、ばね部材２の変形によって生じた＋Ｚ軸方向のばね力によって、保持部材４に保持される。
【０１２６】
一方、撓み部２０１が＋Ｚ軸方向に凸形状となるように変形することによって、中央部２０６は、−Ｚ軸方向のばね力を発生させる。つまり、中央部２０６は、集光レンズ１を−Ｚ軸方向に押す。中央部２０６は、集光レンズ１を発光部５の方向に押す。中央部２０６は、集光レンズ１を光源５０の方向に押す。
【０１２７】
図５（Ｂ）に示す構成では、中央部２０６ａ，２０６ｂは、集光レンズ１の押圧部１０３ａ，１０３ｂに接している。図５（Ｂ）では、中央部２０６は、集光レンズ１の押圧部１０３を−Ｚ軸方向に押す。中央部２０６は、押圧部１０３を発光部５の方向に押す。中央部２０６は、押圧部１０３を光源５０の方向に押す。
【０１２８】
このため、ばね部材２の変形によって生じた−Ｚ軸方向のばね力は、集光レンズ１を−Ｚ軸方向に押す力となる。
【０１２９】
また、集光レンズ１は、発光部５に接している。また、発光部５は、放熱器６の取り付け面６０３に接している。そして、放熱器６の取り付け面６０３は、保持部材４の当接部４０２に接している。従って、集光レンズ１及び発光部５は、ばね部材２の変形によって生じた−Ｚ軸方向のばね力によって、放熱器６に保持される。集光レンズ１及び発光部５は、ばね部材２の変形によって生じたばね力によって、放熱器６に保持される。
【０１３０】
実施の形態１によれば、ばね部材２の変形で生じるばね力によって、振動または熱が加わる車載環境下においても、集光レンズ１、投射レンズ３及び発光部５を保持することができる。
【０１３１】
集光レンズ１及び発光部５は、ばね部材２のばね力によって、放熱器６に押し当てられている。また、投射レンズ３は、ばね部材２のばね力によって、保持部材４に押し当てられている。
【０１３２】
これらの構成によって、振動を受けても、放熱器６に対する集光レンズ１の位置は保持される。また、放熱器６に対する発光部５の位置は保持される。また、保持部材４に対する投射レンズ３の位置は保持される。
【０１３３】
例えば、集光レンズ１、投射のレンズ３又は発光部５が移動した場合でも、ばね部材２のばね力によって、集光レンズ１、投射のレンズ３又は発光部５は、元の位置にも戻ることができる。
【０１３４】
また、環境温度の変化によって、集光レンズ１、投射レンズ３又は発光部５のＺ軸方向の寸法が変化した場合には、ばね部材２の撓み部２０１の撓み量が変化する。これによって、集光レンズ１、投射のレンズ３又は発光部５のＺ軸方向の寸法変化は、ばね部材２の撓み部２０１によって吸収される。ばね部材２は、集光レンズ１または投射レンズ３の熱膨張による寸法変化を吸収することができる。
【０１３５】
また、固定用のねじ等を必要としないため部品点数の削減、組立性の向上または前照灯１００の小型化などの効果が得られる。
【０１３６】
また、ばね部材２は、両側が自由端の単純支持梁構造である。ばね部材２は、例えば、Ｙ軸方向に延びる板ばね構造である。このため、投射レンズ３のＹ軸方向の大きさの分だけ、ばね部材２の撓み部２０１ａ、２０１ｂの長さを確保することができる。そして、ばね部材２の撓み量に対するばね力の変化量を小さくすることができる。つまり、前照灯１００の小型化に伴う、ばね部材２のばね定数の増加を抑えることができる。「ばね定数」とは、ばねに負荷を加えたとき、荷重の増加分をその時の変化量で除したものである。
【０１３７】
例えば、波ワッシャーは、丸い平座金を波形に曲げてばね作用をもたせた座金の一種である。波ワッシャーを用いた場合には、ばね定数が大きくなり、十分な撓み量は得られない。一方、コイルスプリングを用いた場合には、最小巻数または密着高さ等の設計条件によって、軸方向の寸法を小さくすることが困難である。また、ばね定数を小さくするためには、ばねの自由高さを高くして、有効巻数を多くする必要があるため、軸方向の寸法を小さくすることが困難である。
【０１３８】
また、ばね部材２は、両側が自由端の単純支持梁構造である。そして、ばね部材２は、両側の端点が回転可能に保持されている。実施の形態１では、撓み部２０１の端部はＸ軸まわりに回転可能である。このため、ねじ等によってばね部材２を固定するスペースを必要としない。この保持方法は、片持ち形状のばねでは実現できない。
【０１３９】
また、固定端が無いことから、ばね部材２が変形した際に、ばね部材２に生じる応力集中が発生し難くい。このため、部品としての信頼性を高められる効果が得られる。
【０１４０】
また、ばね部材２を配置する位置については上述の構成に限るものではない。例えば、ばね部材２を発光部５と集光レンズ１との間に配置しても良い。また、ばね部材２を投射レンズ３と保持部材４との間に配しても良い。
【０１４１】
但し、第一のレンズ１が集光レンズの場合には、発光部５と集光レンズ１とは互いに精度良く配置されることが望ましい。そのため、上述のように、集光レンズ１の光軸方向（Ｚ軸方向）では、集光レンズ１の当接部１０７が発光部５の基板５１に接触することが望ましい。発光部５と集光レンズ１との間に、ばね部材２が配置されない方が望ましい。
【０１４２】
また、発光部５と集光レンズ１とを保持方法は、上述の構成に限るものではない。例えば、ねじ等を用いて、発光部５を放熱器６に固定できる。また、ねじ等を用いて、集光レンズ１を放熱器６に固定できる。また、ねじ等を用いて、集光レンズ１を発光部５に固定することもできる。
【０１４３】
＜変形例１＞
図６は、前照灯１１０の前面分解斜視図である。
【０１４４】
前照灯１１０は、集光レンズ１、ばね部材２３０、投射レンズ３３０、保持部材４および発光部５を備える。前照灯１１０は、放熱器６を備えることができる。集光レンズ１、保持部材４、発光部５及び放熱器６は前照灯１００と同じである。また、集光レンズ１と発光部５とを放熱器６に保持する方法は、前照灯１００と同じである。
【０１４５】
ばね部材２３０は、二つの保持部２０５ａ，２０５ｂ及び保持穴２０３ａ，２０３ｂを備える点で、ばね部材２と異なる。ばね部材２３０のその他の構成は、ばね部材２と同じである。
【０１４６】
ばね部材２３０は、保持部２０５ａ，２０５ｂを備える。保持部２０５は、例えば、板形状をしている。図６に示すように、保持部２０５は、Ｚ−Ｘ平面に平行に配置されている。そして、保持部２０５は、ばね部材２の接続部２０４から＋Ｚ軸方向に延びた形状をしている。保持部２０５は、接続部２０４に設けられている。保持部２０５ａは、ばね部材２３０の＋Ｙ軸側に備えられている。保持部２０５ｂは、ばね部材２３０の−Ｙ軸側に備えられている。
【０１４７】
保持部２０５は、ばね性を有している。保持部２０５は、−Ｚ軸側の端部を基準として、撓むことができる。保持部２０５の−Ｚ軸側の端部は、接続部２０４に接続している。保持部２０５は、接続部２０４に接続している端部を基準として、撓むことができる。保持部２０５は、Ｙ軸方向に撓むことができる。
【０１４８】
保持部２０５には、保持穴２０３が設けられている。保持穴２０３は、Ｙ軸方向に開いた穴である。保持穴２０３は、保持部２０５の＋Ｚ軸側に設けられている。つまり、保持穴２０３は、保持部２０５の撓む部分に設けられている。
【０１４９】
保持穴２０３ａは、保持部２０５ａに設けられている。保持穴２０３ｂは、保持部２０５ｂに設けられている。
【０１５０】
投射レンズ３３０は、二つの凸部３０３ａ，３０３ｂおよび傾斜面３０４ａ，３０４ｂを備える点で、投射レンズ３と異なる。投射レンズ３３０のその他の構成は、投射レンズ３と同じである。
【０１５１】
投射レンズ３３０は、凸部３０３ａ，３０３ｂを備える。凸部３０３ａは、投射レンズ３３０の＋Ｙ軸側の側面上に設けられている。凸部３０３ａは、＋Ｙ軸方向に突出している。凸部３０３ｂは、投射レンズ３３０の−Ｙ軸側の側面上に設けられている。凸部３０３ｂは、−Ｙ軸方向に突出している。
【０１５２】
傾斜面３０４は、凸部３０３の−Ｚ軸側に設けられている。傾斜面３０４は、凸部３０３の−Ｚ軸側の側面に形成されている。傾斜面３０４は、投射レンズ３３０の側面に対して、外側を向くように傾斜している。
【０１５３】
傾斜面３０４ａは、Ｘ−Ｙ平面に対して＋ＲＸ方向に傾いた斜面である。傾斜面３０４ｂは、Ｘ−Ｙ平面に対して−ＲＸ方向に傾いた斜面である。
【０１５４】
次に、投射レンズ３３０の仮組及び保持部材４への保持方法について説明する。
【０１５５】
図７は、変形例１による投射レンズ３３０の仮組および保持部材４への保持方法を説明するための側方断面図である。図７（Ａ）は、予め、ばね部材２３０が投射レンズ３３０に取り付けられた状態を示している。図７（Ｂ）は、投射レンズ３３０が保持部材４に保持された状態を示している。
【０１５６】
初期の状態では、ばね部材２３０の保持部２０５ａ，２０５ｂの保持穴２０３ａ，２０３ｂの位置での間隔は、投射レンズ３３０のＹ軸方向の側面の間隔よりも小さい。これによって、保持部２０５ａ，２０５ｂは、投射レンズ３３０を挟み込むことができる。
【０１５７】
ばね部材２３０を投射レンズ３３０の−Ｚ軸方向から投射レンズ３３０に挿入すると、保持部２０５ａ，２０５ｂの＋Ｚ軸側の端部は、傾斜面３０４ａ，３０４ｂに接する。さらにばね部材２３０を投射レンズ３３０に挿入すると、保持部２０５ａと保持部２０５ｂとの間隔は広くなる。保持部２０５ａの＋Ｚ軸側の端部は、＋Ｙ軸方向に移動する。保持部２０５ｂの＋Ｚ軸側の端部は、−Ｙ軸方向へ移動する。
【０１５８】
さらに、ばね部材２３０を＋Ｚ軸方向へ移動させると、凸部３０３ａ，３０３ｂは、保持穴２０３ａ，２０３ｂの中に入る。そして、保持部２０５ａ，２０５ｂは、投射レンズ３３０の側面を挟むように変形する。つまり、保持部２０５ａの＋Ｚ軸側の端部は、−Ｙ軸方向に移動する。保持部２０５ｂの＋Ｚ軸側の端部は、＋Ｙ軸方向へ移動する。
【０１５９】
これによって、ばね部材２３０は、投射レンズ３３０に保持される。つまり、ばね部材２３０は、投射レンズ３３０から外れない。
【０１６０】
変形例１では、投射レンズ３３０にばね部材２３０を取り付けた状態で、投射レンズ３３０およびばね部材２３０を保持部材４に挿入することができる。つまり、投射レンズ３３０とばね部材２３０とを部組した状態で扱える。「部組」とは、部分的に組み立てることである。また、投射レンズ３３０とばね部材２３０とを仮組するとも言える。「仮組」とは、分解することを考慮した組み立てのことである。また、ばね部材２３０が保持されることで、撓み部２０１が保持部材４の内側の面に接しないようにすることもできる。
【０１６１】
さらに、この部組の状態で、投射のレンズ３３０およびばね部材２３０を保持部材４の中に挿入すると、前照灯１００と同様に、投射レンズ３３０およびばね部材２３０を保持部材４の中に保持することができる。
【０１６２】
投射レンズ３３０とばね部材２３０とを組付ける方法は、例えば、保持部２０５ａおよび２０５ｂに突起形状を設け、投射レンズ３３０の側面に凹形状のくぼみを設けてもよい。
【０１６３】
変形例１では、投射レンズ３３０およびばね部材２３０のような小さな部品を、保持部材４に取り付ける前に、予め組み合わせることができる。そのため、組立性を向上することができる。
【０１６４】
上述のように投射レンズ３３０およびばね部材２３０が保持部材４の内部に挿入されてから、投射レンズ３３０が保持部材４の内部に配置されるまでの方法は、前照灯１００と同じである。投射レンズ３３０が保持部材４の内部に配置される状態は、図７（Ｂ）の状態である。
【０１６５】
＜変形例２＞
図８は、前照灯１２０の前面分解斜視図である。
【０１６６】
前照灯１２０は、集光レンズ１ａ、ばね部材２５０、第二のレンズ３、保持部材４および発光部５を備える。前照灯１２０は、放熱器６を備えることができる。投射レンズ３、保持部材４、発光部５および放熱器６の構成は前照灯１００と同じである。また、集光レンズ１ａと発光部５とを放熱器６へ固定する方法は、前照灯１００と同じである。
【０１６７】
集光レンズ１ａは、凸部１０５ａ，１０５ｂを備える点で、集光レンズ１と異なる。また、凸部１０５ａ，１０５ｂは、傾斜面１０６ａ，１０６ｂを備えている。集光レンズ１ａのその他の構成は、集光レンズ１と同じである。
【０１６８】
凸部１０５は、集光レンズ１ａに、ばね部材２５０を仮組するために用いられる。
【０１６９】
凸部１０５ａは、集光レンズ１ａの＋Ｙ軸側の側面上に設けられている。凸部１０５ａは、＋Ｙ軸方向に突出している。凸部１０５ｂは、集光レンズ１ａの−Ｙ軸側の側面上に設けられている。凸部１０５ｂは、−Ｙ軸方向に突出している。
【０１７０】
傾斜面１０６ａは、凸部１０５ａの＋Ｚ軸側に形成されている。傾斜面１０６ａは、Ｘ−Ｙ平面に対して−ＲＸ方向に傾いた斜面である。傾斜面１０６ｂは固定凸部１０５ｂの＋Ｚ軸側に形成されている。傾斜面１０６ｂは、Ｘ−Ｙ平面に対して＋ＲＸ方向に傾いた斜面である。つまり、傾斜面１０６は、集光レンズ１ａの側面に対して、外側を向くように傾斜している。
【０１７１】
ばね部材２５０は、保持部２０８ａ，２０８ｂを備える点で、ばね部材２と異なる。保持部２０８ａ，２０８ｂは、保持穴２０９ａ，２０９ｂを備えている。ばね部材２５０のその他の構成は、ばね部材２と同じである。
【０１７２】
保持部２０８は、例えば、集光レンズ１ａに、ばね部材２５０を仮組するために用いられる。
【０１７３】
ばね部材２５０は、保持部２０８ａ，２０８ｂを備える。保持部２０８は、例えば、板形状をしている。図８に示すように、保持部２０８は、Ｚ−Ｘ平面に平行に配置されている。そして、保持部２０８は、接続部２０４から−Ｚ軸方向に延びている。保持部２０８は、接続部２０４に接続している。保持部２０８ａは、ばね部材２５０の＋Ｙ軸側に備えられている。保持部２０８ｂは、ばね部材２５０の−Ｙ軸側に備えられている。
【０１７４】
保持部２０８は、ばね性を有している。保持部２０８は、接続部２０４を基準として、撓むことができる。保持部２０８は、接続部２０４に接続している端部を基準として、撓むことができる。保持部２０８は、Ｙ軸方向に撓むことができる。
【０１７５】
保持部２０８には、保持穴２０９が設けられている。保持穴２０９は、Ｙ軸方向に開いた穴である。保持穴２０３は、保持部２０８の撓む部分に設けられている。
【０１７６】
保持穴２０９ａは、保持部２０８ａに設けられている。保持穴２０９ｂは、保持部２０８ｂに設けられている。
【０１７７】
次に、集光レンズ１ａの仮組及び投射レンズ３３０の保持部材４への保持方法について説明する。
【０１７８】
図９は、変形例２による集光レンズ１ａの仮組と、投射レンズ３３０の保持部材４への保持方法とを説明するための側方断面図である。図９（Ａ）は、予め、ばね部材２５０が集光レンズ１ａに取り付けられた状態を示している。図９（Ｂ）は、投射レンズ３が保持部材４に保持された状態を示している。
【０１７９】
初期の状態では、ばね部材２５０の保持部２０８ａ，２０８ｂの保持穴２０９ａ，２０９ｂの位置での間隔は、集光レンズ１ａのＹ軸方向の側面の間隔よりも小さい。これによって、保持部２０８ａ，２０８ｂは、集光レンズ１ａを挟み込むことができる。
【０１８０】
ばね部材２５０を集光レンズ１ａの＋Ｚ軸方向から集光レンズ１ａに挿入すると、保持部２０８ａ，２０８ｂの−Ｚ軸側の端部は、傾斜面１０６ａ，１０６ｂに接する。さらにばね部材２５０を集光レンズ１ａに挿入すると、保持部２０８ａと保持部２０８ｂとの間隔は広くなる。保持部２０８ａの−Ｚ軸側の端部は、＋Ｙ軸方向に移動する。保持部２０８ｂの−Ｚ軸側の端部は、−Ｙ軸方向へ移動する。
【０１８１】
さらに、ばね部材２５０を−Ｚ軸方向へ移動させると、凸部１０５ａ，１０５ｂは、保持穴２０９ａ，２０９ｂの中に入る。そして、保持部２０８ａ，２０８ｂは、集光レンズ１ａの側面を挟むように変形する。つまり、保持部２０８ａの−Ｚ軸側の端部は、−Ｙ軸方向に移動する。保持部２０８ｂの−Ｚ軸側の端部は、＋Ｙ軸方向へ移動する。
【０１８２】
これによって、ばね部材２５０は、集光レンズ１ａに保持される。つまり、ばね部材２５０は、集光レンズ１ａから外れない。
【０１８３】
変形例２では、集光レンズ１ａにばね部材２５０を取り付けた状態で、投射レンズ３を保持部材４に保持することができる。つまり、集光レンズ１ａとばね部材２５０とを部組した状態で扱える。また、集光レンズ１ａとばね部材２５０とを仮組するとも言える。
【０１８４】
投射レンズ３は、保持部材４の中に置かれる。また、集光レンズ１ａとばね部材２５０とを部組した状態で、集光レンズ１ａと発光部５とを放熱器６に取り付けて、光源ユニット５５を組み立てる。
【０１８５】
この光源ユニット５５を、−Ｚ軸方向から、保持部材４の中に挿入すると、前照灯１００と同様に、投射レンズ３を保持部材４の中に保持することができる。
【０１８６】
集光レンズ１ａとばね部材２５０とを組付ける方法は、例えば、保持部２０８ａおよび保持部２０８ｂに突起形状を設け、集光レンズ１ａの側面に凹形状のくぼみを設けてもよい。
【０１８７】
変形例２では、集光レンズ１ａおよびばね部材２５０のような小さな部品を、保持部材４に取り付ける前に、予め組み合わせることができる。そのため、組立性を向上することができる。
【０１８８】
また、集光レンズ１ａにばね部材２５０が取り付いた状態で、これらを保持部材４に挿入する。すると、前照灯１００と同様に、引掛け部２０２ａ，２０２ｂが、保持部材４の穴４０５ａ，４０５ｂに引っ掛かる。そして、投射レンズ３が保持部材４に仮組される。
【０１８９】
なお、ばね部材２５０に対して集光レンズ１ａを、少し−Ｙ軸方向に移動させて、集光レンズ１ａを−ＲＸ方向に回転させると、穴２０９ａから凸部１０５ａを外すことができる。また、ばね部材２５０に対して集光レンズ１ａを、少し＋Ｙ軸方向に移動させて、集光レンズ１ａを＋ＲＸ方向に少し回転させると、穴２０９ｂから凸部１０５ｂを外すことができる。つまり、保持部２０８の凸部１０５への引っ掛かりを外すことができる。
【０１９０】
従って、投射レンズ３が保持部材４に仮組された状態で、集光レンズ１ａをばね部材２５０から外すことができる。つまり、ばね部材２５０及び投射レンズ３を保持部材４に仮組した状態で、光源ユニット５５を保持部材４から外すことができる。これは、発光部５を交換する際などに、投射レンズ３が保持部材４から落下することを防ぐことができる。そして、組立または部品交換時の作業性が向上する。
【０１９１】
＜変形例３＞
図１０は、前照灯１３０の前面分解斜視図である。
【０１９２】
前照灯１３０は、集光レンズ１ａ、ばね部材２７０、投射レンズ３３０、保持部材４および発光部５を備える。前照灯１３０は、放熱器６を備えることができる。集光レンズ１ａの構成は、前照灯１２０と同じである。投射レンズ３３０の構成は、前照灯１１０と同じである。保持部材４、発光部５、放熱器６の構成は、前照灯１００と同じである。ばね部材２７０は、前照灯１１０の保持部２０５および保持穴２０３を備えている。また、ばね部材２７０は、前照灯１２０の保持部２０８および保持穴２０９を備えている。つまり、ばね部材２７０は、ばね部材２３０とばね部材２５０とを組み合せた形状をしている。
【０１９３】
ばね部材２７０を投射レンズ３３０に取り付ける方法は、変形例１の前照灯１１０と同様である。また、ばね部材２７０を集光レンズ１ａに取り付ける方法は、変形例２の前照灯１２０と同様である。つまり、変形例３は、変形例１と変形例２とを組み合せた方法で部組を行う。
【０１９４】
次に、集光レンズ１ａ及び投射レンズ３３０の仮組について説明する。また、投射レンズ３３０の保持部材４への保持方法について説明する。
【０１９５】
図１１は、変形例３によるばね部材２７０を用いて投射レンズ３３０を集光レンズ１ａに取り付ける方法を説明するための側方半断面図である。また、図１１は、投射レンズ３３０の保持部材４への保持方法を説明するための側方半断面図である。つまり、図１１は、保持部材４に投射レンズ３３０を保持する方法を説明するための側方半断面図である。
【０１９６】
図１１（Ａ）は、投射レンズ３３０がばね部材２７０を介して、集光レンズ１ａに仮組される状態を示している。図１１（Ｂ）は、投射レンズ３３０が保持部材４に保持された状態を示している。
【０１９７】
変形例１の説明と同様にして、投射レンズ３３０はばね部材２７０に部組される。また、変形例２の説明と同様にして、集光レンズ１ａはばね部材２７０に部組される。変形例３では、投射レンズ３３０がばね部材２７０を介して、光源ユニット５５に取り付けられる。光源ユニット５５は、放熱器６、発光部５および集光レンズ１ａを備える。
【０１９８】
図１１（Ａ）では、投射レンズ３３０がばね部材２７０を介して、光源ユニット５５に取り付けられている。このため、各部品を保持部材４に取り付ける前に、予め組み合わせておくことができる。この部組により、組立性が向上する。
【０１９９】
そして、放熱器６、発光部５、集光レンズ１ａ、ばね部材２７０及び投射レンズ３３０が部組された状態で、投射レンズ３３０を保持部材４の内部に挿入する。そして、引掛け部２０２は、穴４０５に挿入される。そして、保持部材４を放熱器６にネジ等を用いて固定する。
【０２００】
集光レンズ１ａおよび発光部５は、同じ位置に位置決め穴を備える。放熱器６の位置決めピン６０１ａ，６０１ｂは、発光部５の位置決め穴５０１ａ，５０１ｂ、集光レンズ１ａの位置決め穴１０４ａ，１０４ｂを貫通する。また、放熱器６の位置決めピン６０２ａ，６０２ｂは、保持部材４の位置決め穴４０１ａ，４０１ｂに挿入される。
【０２０１】
放熱器６は、発光部５と集光レンズ１ａとを挟み込むようにして、保持部材４に保持される。これにより、集光レンズ１ａおよび発光部５を、保持部材４に取り付ける工数（作業量）が削減できる。また、集光レンズ１ａおよび発光部５の保持部材４に対する位置決め精度が向上する。
【０２０２】
＜変形例４＞
図１２は、前照灯１４０の前面分解斜視図である。
【０２０３】
前照灯１４０は、集光レンズ１ｂ、ばね部材２、投射レンズ３５０、保持部材４および発光部５を備える。また、前照灯１４０は、放熱器６を備えることができる。
【０２０４】
変形例４では、集光レンズ１ｂの形状が集光レンズ１と異なる。また、投射レンズ３５０が投射レンズ３と異なる。ばね部材２、保持部材４、発光部５及び放熱器６は、前照灯１００と同じである。また、集光レンズ１ｂと発光部５とを放熱器６に保持する方法は、前照灯１００と同じである。
【０２０５】
集光レンズ１ｂは、脚部１６１ａ，１６１ｂを備えている。集光レンズ１ｂは、二つの脚部１６１ａと１６１ｂとを備えている。また、集光レンズ１ｂは、押圧部１０３ａ，１０３ｂを備えていない。これらの点で、集光レンズ１ｂは、集光レンズ１と異なる。集光レンズ１ｂのその他の構成は、集光レンズ１と同じである。
【０２０６】
脚部１６１ａ，１６１ｂは、集光レンズ１ｂの出射面側（＋Ｚ軸側）に配置されている。脚部１６１ａ，１６１ｂは、集光レンズ１ｂの出射面側から光が出射する領域の外側に配置されている。
【０２０７】
図１２では、脚部１６１ａ，１６１ｂは、集光レンズ１ｂのＹ軸方向側に設けられている。脚部１６１ａ，１６１ｂは、集光レンズ１ｂのＹ軸方向の端部に設けられている。脚部１６１ａは、集光レンズ１ｂの＋Ｙ軸側に設けられている。脚部１６１ｂは、集光レンズ１ｂの−Ｙ軸側に設けられている。脚部１６１は、撓み部２０１（ばね部）の長辺方向の両方の端部（支持部２０７）を支持する支持部である。脚部１６１は、集光レンズ１ｂの径方向の端部に備えられている。
【０２０８】
脚部１６１ａ，１６１ｂは、例えば、Ｚ軸方向において、集光レンズ１ｂのレンズの位置から＋Ｚ軸方向に突出している。図１２では、脚部１６１ａ，１６１ｂは、例えば、板形状をしている。図１２では、脚部１６１ａ，１６１ｂは、Ｚ−Ｘ平面に平行な板形状をしている。
【０２０９】
脚部１６１ａ，１６１ｂは、例えば、Ｙ軸方向から見て、矩形形状をしている。脚部１６１ａ，１６１ｂの＋Ｚ軸方向の端部は、Ｘ軸に平行である。
【０２１０】
脚部１６１ａ，１６１ｂの＋Ｚ軸方向の端部は、ばね部材２の支持部２０７ａ，２０７ｂに接する。
【０２１１】
投射レンズ３５０は、押圧部３５１ａ，３５１ｂを備えている。投射レンズ３５０は、二つの押圧部３５１ａと押圧部３５１ｂとを備えている。また、投射レンズ３５０は、脚部３０２ａ、３０２ｂを備えていない。これらの点で、投射レンズ３５０は、投射レンズ３と異なる。投射レンズ３５０のその他の構成は、投射レンズ３と同じである。
【０２１２】
押圧部３５１ａ，３５１ｂは、投射レンズ３５０の入射面側（−Ｚ軸側）に設けられている。押圧部３５１ａ，３５１ｂは、投射レンズ３５０の入射面側に光が入射する領域の外側に配置されている。
【０２１３】
図１２では、押圧部３５１ａ，３５１ｂは、投射レンズ３５０のＸ軸方向側に設けられている。押圧部３５１ａ，３５１ｂは、投射レンズ３５０のＸ軸方向の端部に設けられている。押圧部３５１ａは、投射レンズ３５０の＋Ｘ軸側に設けられている。押圧部３５１ｂは、投射レンズ３５０の−Ｘ軸側に設けられている。
【０２１４】
押圧部３５１ａ，３５１ｂは、例えば、投射レンズ３５０のレンズの位置から−Ｚ軸方向に突出している。図１２では、押圧部３５１ａ，３５１ｂは、例えば、板形状をしている。図１２では、押圧部３５１ａ，３５１ｂは、Ｙ−Ｚ平面に平行な板形状をしている。
【０２１５】
押圧部３５１ａ，３５１ｂは、例えば、Ｘ軸方向から見て、凸形状をしている。図１２では、押圧部３５１ａ，３５１ｂは、Ｘ軸方向から見て、三角形形状をしている。押圧部３５１ａ，３５１ｂの−Ｚ軸方向の端部は、三角形形状の頂点に対応している。
【０２１６】
押圧部３５１ａ，３５１ｂの−Ｚ軸方向の端部は、ばね部材２の中央部２０６ａ，２０６ｂに接する。
【０２１７】
図１３は、変形例４における投射レンズ３５０の仮組および保持部材４への保持方法を説明するための側方断面図である。図１３（Ａ）は、ばね部材２によって、投射レンズ３５０が保持部材４に仮組されている状態を示している。図１３（Ｂ）は、集光レンズ１ｂと発光部５とを放熱器６に取り付けたユニット（光源ユニット５５）を保持部材４の内部に配置した状態を示している。
【０２１８】
図１３（Ａ）に示すように、ばね部材２によって、投射レンズ３５０が保持部材４に仮組みされた状態は、前照灯１００で述べた図４（Ａ）の状態と同じである。
【０２１９】
図１３（Ｂ）に示すように、ばね部材２による投射レンズ３５０の固定方法は、前照灯１００で述べた図５（Ｂ）に示した方法とは異なる。集光レンズ１に設けられた押圧部１０３ａ，１０３ｂと、投射レンズ３に設けられた脚部３０２ａ，３０２ｂとが、互いに入れ替わった構成である。
【０２２０】
つまり、脚部１６１ａ，１６１ｂの＋Ｚ軸方向の端部は、ばね部材２の支持部２０７ａ，２０７ｂに接している。また、押圧部３５１ａ，３５１ｂの−Ｚ軸方向の端部は、ばね部材２の中央部２０６ａ，２０６ｂに接している。
【０２２１】
押圧部３５１は、撓み部２０１のＹ軸方向の中央部２０６を−Ｚ軸方向に押す。撓み部２０１は、押圧部３５１に押されて−Ｚ軸方向への凸形状となる。撓み部２０１ａ，２０１ｂの中央部２０６ａ，２０６ｂは、−Ｚ軸方向に撓んでいる。
【０２２２】
前照灯１００と同様に、前照灯１４０は、ばね部材２が変形することで得られるばね力で、投射レンズ３５０を保持部材４に保持することができる。また、前照灯１４０は、ばね部材２が変形することで得られるばね力で、集光レンズ１ｂを発光部５に保持することができる。前照灯１４０は、ばね部材２が変形することで得られるばね力で、集光レンズ１ｂを光源５０に保持することができる。
【０２２３】
前照灯１４０の場合には、例えば、第一のレンズ１ｂは、配光パターン（第１の配光パターン）を形成する集光レンズである。また、第二のレンズ３５０は、配光パターン（第１の配光パターン）を前方に向けて投影する投射レンズである。
【０２２４】
この場合には、第二のレンズ３５０（投射レンズ）のレンズ径は、第一のレンズ１ｂ（集光レンズ）のレンズ径よりも大きい。そのため、例えば、図１に示す前照灯１００のように、第二のレンズ３（投射レンズ）が脚部３０２を備え、第一のレンズ１（集光レンズ）が押圧部１０３を備える構成の方が好ましい。
【０２２５】
なぜなら、大きいレンズが撓み部２０１の両端部（支持部２０７）に接して、小さいレンズが撓み部２０１の中央部２０６に接することで、構造を小さくすることができるからである。脚部３０２は、ばね部材２の支持部２０７に接している。押圧部１０３は、ばね部材２の中央部２０６に接している。
【０２２６】
また、投影する配光パターンが、例えば、前照灯のロービームのように、一方向に長い長方形の形状の場合には、撓み部２０１は、配光パターンの長い方向（Ｘ軸方向）と平行に配置されることが好ましい。
【０２２７】
なぜなら、図１に示すように、第二のレンズ３（投射レンズ）は、配光パターンの長い方向（Ｙ軸方向）と平行にカットされる場合があるからである。撓み部２０１が配光パターンの長い方向（Ｘ軸方向）と平行に配置されることで、撓み部２０１の長さを長くすることができる。
【０２２８】
なお、以上で説明した実施の形態および変形例では、第二のレンズ３（投射レンズ）は、Ｙ軸方向にカットされている。つまり、第二のレンズ３（投射レンズ）のカット面は、Ｙ−Ｚ平面に平行である。
【０２２９】
＜変形例５＞
図１４は、変形例５に係る前照灯１５０の前面分解斜視図である。
【０２３０】
前照灯１５０は、第１の配光パターンを形成する。そして、前照灯１５０は、第１の配光パターンを投影して第２の配光パターンを形成する。第２の配光パターンは、前照灯１５０の前方（＋Ｚ軸方向）に形成される。前照灯１５０は、例えば、すれ違い用前照灯（ロービーム）である。
【０２３１】
前照灯１５０は、集光レンズ１ｃ、ばね部材２８０、投射光学素子３６０、保持部材４０および発光部５を備える。また、前照灯１５０は、放熱器６１０を備えることができる。発光部５は前照灯１００と同じである。集光レンズ１ｃと発光部５とを放熱器６１０に保持する構成は前照灯１００と同じである。しかし、集光レンズ１ｃと発光部５とは＋ＲＸ方向に傾いて放熱器６１０に保持される。
【０２３２】
光源５０は、発光部５と放熱器６１０とを備える。
【０２３３】
発光部５は、前照灯１００で説明した発光部５と同様であるため、説明を省略する。
【０２３４】
放熱器６１０は、放熱器６と形状が異なる。放熱器６１０の取り付け面６１３は、取り付け面６１３ａ、取り付け面６１３ｂおよび取り付け面６１３ｃを備えている。また、放熱器６１０は、位置決めピン６０１ａ，６０１ｂ，６０２ａ，６０２ｂを備える。
【０２３５】
取り付け面６１３ａは、発光部５と接する面である。取り付け面６１３ａは、基板５１と接する面である。例えば、取り付け面６１３ａには、基板５１が取り付けられる。
【０２３６】
取り付け面６１３ａは、Ｘ−Ｙ平面に対して＋ＲＸ方向に傾斜している点で放熱器６と異なる。取り付け面６１３ａは、Ｘ−Ｙ平面に対して＋ＲＸ方向に傾斜している。取り付け面６１３ａは、例えば、放熱器６１０の＋Ｚ軸側に形成されている。
【０２３７】
位置決めピン６０１ａ，６０１ｂは、取り付け面６１３ａ上に配置されている。位置決めピン６０１ａ，６０１ｂは、取り付け面６１３ａに垂直な軸である。位置決めピン６０１ａは、基板５１上の位置決め穴５０１ａに挿入される。位置決めピン６０１ｂは、基板５１上の位置決め穴５０１ｂに挿入される。位置決めピン６０１ａ，６０１ｂと位置決め穴５０１ａ，５０１ｂとで、基板５１は放熱器６１０に位置決めされる。
【０２３８】
取り付け面６１３ｂは、保持部材４０の当接部４０２ａと接する面である。取り付け面６１３ｂには、保持部材４０の当接部４０２ａが取り付けられる。
【０２３９】
取り付け面６１３ｂは、取り付け面６１３ａの＋Ｙ軸側に配置されている。取り付け面６１３ｂは、例えば、Ｘ−Ｙ平面に平行な面である。取り付け面６１３ｂの−Ｙ軸側の端部は、取り付け面６１３ａの＋Ｙ軸側の端部に接続している。
【０２４０】
位置決めピン６０２ａは、取り付け面６１３ｂ上に配置されている。位置決めピン６０２ａは、例えば、取り付け面６１３ｂに垂直な軸である。位置決めピン６０２ａは、保持部材４０の当接部４０２ａ上の位置決め穴４０１ａに挿入される。
【０２４１】
取り付け面６１３ｃは、保持部材４０の当接部４０２ｂと接する面である。取り付け面６１３ｃには、保持部材４０の当接部４０２ｂが取り付けられる。
【０２４２】
取り付け面６１３ｃは、取り付け面６１３ａの−Ｙ軸側に配置されている。取り付け面６１３ｃは、例えば、Ｘ−Ｙ平面に平行な面である。取り付け面６１３ｃの＋Ｙ軸側の端部は、取り付け面６１３ａの−Ｙ軸側の端部に接続している。取り付け面６１３ｃは、取り付け面６１３ｂよりも−Ｚ軸側に位置している。
【０２４３】
位置決めピン６０２ｂは、取り付け面６１３ｃ上に配置されている。位置決めピン６０２ｂは、例えば、取り付け面６１３ｃに垂直な軸である。位置決めピン６０２ｂは、保持部材４０の当接部４０２ｂ上の位置決め穴４０１ｂに挿入される。位置決めピン６０２ａ，６０２ｂと位置決め穴４０１ａ，４０１ｂとで、保持部材４０は放熱器６１０に位置決めされる。
【０２４４】
集光レンズ１ｃは、発光素子５２から出射された光を集光する。集光レンズ１ｃは、基板５１に取り付けられる。そして、集光レンズ１ｃは、基板５１を介して放熱器６１０に取り付けられる。つまり、集光レンズ１ｃは、取り付け面６１３ａに取り付けられる。そのため、集光レンズ１ｃの光軸は、Ｚ軸に対して＋ＲＸ方向に傾斜している。
【０２４５】
集光レンズ１ｃは、押圧部１０３ａ，１０３ｂを備えている。押圧部１０３ａ，１０３ｂは、集光レンズ１ｃの光軸を挟むように配置されている。押圧部１０３ａは、集光レンズ１ｃの＋Ｘ軸側に配置されている。押圧部１０３ｂは、集光レンズ１ｃの−Ｘ軸側に配置されている。
【０２４６】
ばね部材２８０は、接続部２０４ａが撓み部２０１に対して＋Ｚ軸方向に配置されている点で、ばね部材２と異なる。接続部２０４ａは、＋Ｙ軸側の接続部２０４である。ばね部材２８０のその他の構成は、ばね部材２と同じである。
【０２４７】
前照灯１５０は、投射レンズ３の代わりに投射光学素子３６０を備えている。投射光学素子３６０は、反射面３６１及び出射面３６２を備える。反射面３６１と出射面３６２との間には、導光部３６３が形成されている。
【０２４８】
反射面３６１は、集光レンズ１ｃから出射された光を反射する。反射面３６１は、配光パターン（第１の配光パターン）を形成する。反射面３６１は、例えば、配光パターンにカットオフラインを形成する。反射面３６１は、集光レンズ１ｃから出射された光を反射することで、カットオフラインを形成する。
【０２４９】
出射面３６２は、正の屈折力を有する。屈折力は、パワーとも呼ばれる。出射面３６２は、反射面３６１によって形成された配光パターン（第１の配光パターン）を投影する。出射面３６２は、出射面３６２の焦点を含み、出射面３６２の光軸に垂直な平面上に形成された配光パターンを投影する。ここで、出射面３６２の光軸は、Ｚ軸に平行である。投射光学素子３６０は、集光レンズ１ｃから出射された光を出射面３６２から出射する。
【０２５０】
投射光学素子３６０は、集光レンズ１ｃの前方側（＋Ｚ軸方向）に配置されている。
【０２５１】
投射光学素子３６０は、前方（＋Ｚ軸側）から見ると、例えば、矩形形状をしている。
【０２５２】
投射光学素子３６０は、脚部３０２ａ，３０２ｂを備えている。脚部３０２ａ，３０２ｂは、図１４では、反射面３６１と出射面３６２との間に配置されている。
【０２５３】
脚部３０２ａ，３０２ｂは、例えば、投射光学素子３６０の＋Ｙ軸側と−Ｙ軸側に設けられている。脚部３０２ａは、投射光学素子３６０の＋Ｙ軸側に設けられている。脚部３０２ｂは、投射光学素子の−Ｙ軸側に設けられている。
【０２５４】
しかし、例えば、前照灯１５０が横長の配光パターンを投影する場合には、脚部３０２ａ，３０２ｂを投射光学素子３６０の＋Ｘ軸側と−Ｘ軸側に設けることができる。「横長の配光パターン」とは、水平方向（Ｘ軸方向）が垂直方向（Ｙ軸方向）よりも長い配光パターンである。横長の配光パターンの場合には、投射光学素子３６０の横方向（Ｘ軸方向）の寸法は、縦方向（Ｙ軸方向）の寸法よりも大きくなる。そして、ばね部材２８０の撓み部２０１ａ、２０１ｂを水平方向（Ｘ軸方向）に平行に配置する。これによって、ばね部材２の撓み部２０１ａ、２０１ｂの長さを長くすることができる。
【０２５５】
脚部３０２ａ，３０２ｂは、投射光学素子３６０の−Ｚ軸側に突出している。脚部３０２ａ，３０２ｂは、例えば、板形状をしている。図１４では、脚部３０２ａ，３０２ｂは、Ｚ−Ｘ平面に平行な板形状をしている。
【０２５６】
投射光学素子３６０は、当接部３０１ｅを備えている。当接部３０１ｅは、例えば、投射光学素子３６０の外周に設けられた出射面３６２側（＋Ｚ軸側）に向く面である。「当接」とは、その部分に当たり，接することである。
【０２５７】
なお、当接部３０１ｅは投射光学素子３６０の上下方向または左右方向に設けることができる。図１４では、当接部３０１ｅは投射光学素子３６０の上下方向に設けられている。
【０２５８】
投射光学素子３６０は位置決め穴３０５ａ、３０５ｂを備えている。位置決め穴３０５ａ、３０５ｂは、例えば、当接部３０１ｅ上に設けられている。位置決め穴３０５ａ、３０５ｂは、当接部３０１ｅの当接面に垂直な穴である。位置決め穴３０５ａ、３０５ｂは、例えば、Ｚ軸に平行な穴である。
【０２５９】
保持部材４０は、投射光学素子３６０を保持する。つまり、保持部材４０は、鏡胴の機能を有する。
【０２６０】
保持部材４０は、当接部４０２ａ，４０２ｂを備える。当接部４０２ａ，４０２ｂは、放熱器６と接触する部分である。当接部４０２ａ，４０２ｂは、放熱器６１０の取り付け面６１３ｂ，６１３ｃと接する。当接部４０２ａは、放熱器６１０の取り付け面６１３ｂと接する。当接部４０２ｂは、放熱器６１０の取り付け面６１３ｃと接する。
【０２６１】
図１４では、当接部４０２ａ，４０２ｂは、保持部材４０の−Ｚ軸側に設けられている。当接部４０２ａ，４０２ｂの接触面は、Ｘ−Ｙ平面に平行な面である。
【０２６２】
そして、当接部４０２ａ，４０２ｂは、例えば、投射光学素子３６０の＋Ｙ軸側および−Ｙ軸側に突出するフランジ形状をしている。当接部４０２ａは、＋Ｙ軸側に突出するフランジ形状をしている。当接部４０２ｂは、−Ｙ軸側に突出するフランジ形状をしている。
【０２６３】
放熱器６１０の取り付け面６１３ｂ，６１３ｃと当接部４０２ａ，４０２ｂの接触面とが接する。これによって、放熱器６１０に対する保持部材４０のＺ軸方向の位置が決められる。Ｚ軸方向は、例えば、投射光学素子３６０の光軸の方向である。
【０２６４】
保持部材４０は、位置決め穴４０１ａ，４０１ｂを備える。位置決め穴４０１ａ，４０１ｂは、当接部４０２ａ，４０２ｂの接触面に垂直な穴である。位置決め穴４０１ａ，４０１ｂは、例えば、Ｚ軸に平行な穴である。位置決め穴４０１ａ，４０１ｂは、当接部４０２ａ，４０２ｂに設けられている。位置決め穴４０１ａは、当接部４０２ａに設けられている。位置決め穴４０１ｂは、当接部４０２ｂに設けられている。
【０２６５】
放熱器６１０の位置決めピン６０２ａ，６０２ｂは、保持部材４０の位置決め穴４０１ａ，４０１ｂに挿入される。位置決めピン６０２ａは、位置決め穴４０１ａに挿入される。位置決めピン６０２ｂは、位置決め穴４０１ｂに挿入される。そして、保持部材４０は、放熱器６１０に対して位置決めされる。
【０２６６】
放熱器６１０の位置決めピン６０２ａ，６０２ｂが保持部材４０の位置決め穴４０１ａ，４０１ｂに挿入される。これによって、放熱器６１０に対する保持部材４０のＸ−Ｙ平面上の位置が決められる。投射光学素子３６０の光軸に垂直な平面上で、放熱器６１０に対する保持部材４０の位置が決められる。
【０２６７】
保持部材４０は、当接部４０２ｃを備える。当接部４０２ｃは保持部材４０の内側の−Ｚ軸方向に向く面である。
【０２６８】
当接部４０２ｃは、当接部４０２ｃ１と当接部４０２ｃ２とを備えている。当接部４０２ｃ１は、開口部４０７の＋Ｙ軸側に位置している。当接部４０２ｃ２は、開口部４０７の−Ｙ軸側に位置している。
【０２６９】
当接部４０２ｃには、投射光学素子３６０の当接部３０１ｅの＋Ｚ軸側の面が当接する。これによって、保持部材４０に対する投射光学素子３６０のＺ軸方向の位置が決められる。
【０２７０】
投射光学素子３６０は、保持部材４０の−Ｚ軸側から挿入される。投射光学素子３６０は、保持部材４０の内部に＋Ｚ軸方向に向けて挿入される。投射光学素子３６０は、例えば、−Ｚ軸方向側から保持部材４０の内部に挿入される。そして、投射光学素子３６０の当接部３０１ｅは当接部４０２ｃに当接する。
【０２７１】
当接部３０１ｅが当接部４０２ｃに接すると、保持部材４０に対する投射光学素子３６０の位置が決まる。当接部４０２ｃによって、保持部材４０に対する投射光学素子３６０の光軸方向（Ｚ軸方向）の位置が決まる。
【０２７２】
保持部材４０は、位置決めピン４０８ａ，４０８ｂを備える。位置決めピン４０８ａ，４０８ｂは当接部４０２ｃの面上に配置されている。位置決めピン４０８ａは、当接部４０２ｃ１上に配置されている。位置決めピン４０８ｂは、当接部４０２ｃ２上に配置されている。
【０２７３】
位置決めピン４０８ａ，４０８ｂは当接部４０２ｃの接触面に垂直な軸である。位置決めピン４０８ａ，４０８ｂは、例えば、Ｚ軸と平行な軸である。
【０２７４】
投射光学素子３６０の当接部３０１ｅは、保持部材４０の当接部４０２ｃに接する。投射光学素子３６０の当接部３０１ｅ１は、保持部材４０の当接部４０２ｃ１に接する。投射光学素子３６０の当接部３０１ｅ２は、保持部材４０の当接部４０２ｃ２に接する。
【０２７５】
また、保持部材４０の位置決めピン４０８ａ，４０８ｂは、投射光学素子３６０の位置決め穴３０５ａ，３０５ｂにそれぞれ挿入される。位置決めピン４０８ａは、位置決め穴３０５ａに挿入される。位置決めピン４０８ｂは、位置決め穴３０５ｂに挿入される。
【０２７６】
これらによって、保持部材４０に対する、投射光学素子３６０のＸ軸方向およびＹ軸方向の位置が決められる。Ｘ軸方向およびＹ軸方向の位置は、投射光学素子３６０の光軸に垂直な平面上の位置である。
【０２７７】
保持部材４０は、開口部４０７を備えている。開口部４０７は、当接部４０２ｃに形成されている。当接部４０２ｃ１は、開口部４０７の＋Ｙ軸側に位置している。当接部４０２ｃ２は、開口部４０７の−Ｙ軸側に位置している。
【０２７８】
開口部４０７は、投射光学素子３６０の導光部３６３を通す穴である。図１４では、矩形形状をしている。
【０２７９】
保持部材４０は、穴４０５ａを備えている。穴４０５ａは、ばね部材２８０の引掛け部２０２ａを通す穴である。穴４０５ａは、例えば、前照灯１５０を組み立てる過程で、ばね部材２８０を保持部材４０に一時的に保持するために用いられる。
【０２８０】
穴４０５ａは、当接部４０２ｃ１に設けられている。穴４０５ａは、当接部４０２ｃ１の接触面に垂直に開けられた穴である。穴４０５ａは、例えば、Ｚ軸方向に開けられた穴である。穴４０５ａは、投射光学素子３６０が保持部材４０に納められた際の脚部３０２ａよりも＋Ｙ軸側に位置している。
【０２８１】
図１５に示すように、穴４０５ａは、傾斜面４０６ａ備える。傾斜面４０６ａは、Ｚ−Ｘ平面に対して、＋ＲＸ方向に傾いている。つまり、引掛け部２０２ａが穴４０５ａに挿入されるに従って、穴４０５ａの大きさは小さくなる。
【０２８２】
保持部材４０は、穴４０５ｂを備えている。穴４０５ｂは、ばね部材２８０の引掛け部２０２ｂを通す穴である。穴４０５ｂは、例えば、前照灯１５０を組み立てる過程で、ばね部材２８０を保持部材４０に一時的に保持するために用いられる。
【０２８３】
穴４０５ｂは、底面部４０８に設けられている。穴４０５ｂは、底面部４０８の内側の面に対して垂直に開けられた穴である。穴４０５ｂは、例えば、Ｙ軸方向に開けられた穴である。
【０２８４】
底面部４０８は、例えば、Ｚ−Ｘ平面に平行な面である。底面部４０８は、当接部４０２ｃ２の−Ｙ軸側の端部に接続されている。底面部４０８は、当接部４０２ｃ２の−Ｚ軸側に位置している。
【０２８５】
≪ばね部材２８０による投射光学素子３６０の仮組の方法≫
図１５は、ばね部材２８０を用いた投射光学素子３６０の仮組の方法を説明するための側方断面図である。図１５（Ａ）は、投射光学素子３６０を保持部材４０の内部に配置した状態を示した図である。図１５（Ａ）は、ばね部材２８０が保持部材４０の内部に取り付けられている図である。図１５（Ｂ）は、光源ユニット５５を保持部材４０に取り付けた状態を示した図である。光源ユニット５５は、集光レンズ１ｃと発光部５とを放熱器６１０に取り付けたユニットである。
【０２８６】
投射光学素子３６０を保持部材４０の内部に配置する。その後に、ばね部材２８０を保持部材４０の内部に挿入する。ばね部材２８０は、保持部材４０の−Ｚ軸方向から＋Ｚ方向に向けて挿入される。
【０２８７】
ばね部材２８０の引掛け部２０２ａが穴４０５ａに挿入されるとき、引掛け部２０２ａは傾斜面４０６ａに接触する。引掛け部２０２ａが穴４０５ａに挿入されるに従って、引掛け部２０２ａの曲げ部２０２ａ１は−Ｙ軸方向に撓む。つまり、引掛け部２０２ａは−Ｙ軸方向に変形する。
【０２８８】
更に、ばね部材２８０を＋Ｚ軸方向へ移動させると、引掛け部２０２ａの先端部２０２ａ２は、穴４０５ａを通り抜ける。そして、ばね部材２８０は元の形状に戻る。曲げ部２０２ａ１の撓みは、元に戻る。そして、引掛け部２０２ａは、穴４０５ａに引っ掛かる。
【０２８９】
ばね部材２８０が元の形状に戻ると、引掛け部２０２ａの先端部２０２ａ２は、穴４０５ａよりも＋Ｙ軸側に位置する。先端部２０２ａ２は、曲げ部２０２ａ１よりも＋Ｙ軸側に位置する。このため、ばね部材２８０は、保持部材４０から外れない。従って、投射光学素子３６０も保持部材４０から外れない。
【０２９０】
ばね部材２８０が保持部材４０の内部に挿入されるとき、ばね部材２８０の引掛け部２０２ｂは底面部４０８に接触する。その際に、曲げ部２０２ｂ１は、＋Ｙ軸方向に撓む。つまり、引掛け部２０２ｂは、＋Ｙ軸方向に変形する。
【０２９１】
更に、ばね部材２８０を＋Ｚ軸方向へ移動させると、引掛け部２０２ｂの先端部２０２ｂ２は穴４０５ｂに挿入される。そして、ばね部材２８０は元の形状に戻る。曲げ部２０２ｂ１の撓みは、元に戻る。そして、引掛け部２０２ｂは、穴４０５ｂに引っ掛かる。
【０２９２】
ばね部材２８０が元の形状に戻ると、引掛け部２０２ｂの先端部２０２ｂ２は、底面部４０８の内側の面よりも−Ｙ軸側に位置する。先端部２０２ｂ２は、曲げ部２０２ｂ１よりも−Ｙ軸側に位置する。このため、ばね部材２８０は、保持部材４０から外れない。従って、投射光学素子３６０も保持部材４０から外れない。
【０２９３】
この仮組によって、組立時などの作業負荷を軽減することができる。
【０２９４】
≪ばね部材２８０による投射光学素子３６０の固定方法≫
【０２９５】
集光レンズ１ｃおよび発光部５は、例えば、放熱器６１０に保持されている。光源ユニット５５は、集光レンズ１ｃと発光部５とを放熱器６１０に取り付けたユニットである。
【０２９６】
光源ユニット５５は、保持部材４０の−Ｚ軸方向から＋Ｚ軸方向に向けて、保持部材４０に挿入される。このとき、押圧部１０３は、撓み部２０１に接触する。押圧部１０３は、集光レンズ１ｃに設けられている。撓み部２０１は、ばね部材２８０に設けられている。
【０２９７】
図１５に示すように、放熱器６１０の取り付け面６１３ｂ，６１３ｃが保持部材４０の当接部４０２ａ，４０２ｂに接するまで、放熱器６１０を保持部材４０の方向（＋Ｚ軸方向）に移動させる。このとき、押圧部１０３は、撓み部２０１の中央部２０６を、保持部材４０の方向（＋Ｚ軸方向）に押す。中央部２０６は、撓み部２０１のＹ軸方向の中央の部分である。中央部２０６は、撓み部２０１の長辺方向の中央の部分である。
【０２９８】
撓み部２０１は、押圧部１０３に押されて凸形状となる。つまり、撓み部２０１は、＋Ｚ軸方向へ凸形状となるように曲がる。撓み部２０１ａ，２０１ｂの中央部２０６ａ，２０６ｂが＋Ｚ軸方向に凸形状となるように、撓み部２０１ａ，２０１ｂは撓んでいる。
【０２９９】
支持部２０７ａ，２０７ｂは、撓み部２０１のＹ軸方向の端部に位置している。支持部２０７ａ，２０７ｂは、撓み部２０１の長辺方向の端部に位置している。支持部２０７ａ，２０７ｂは、脚部３０２ａ，３０２ｂに接している。このため、撓み部２０１は、中央部に集中荷重を受ける両端が単純支持はりと同様に撓む。
【０３００】
ばね部材２８０は、ばね性を有する。このため、撓み部２０１が＋Ｚ軸方向に凸形状となるように変形することによって、撓み部２０１のＹ軸方向（長辺方向）の端部（支持部２０７）には、＋Ｚ軸方向のばね力が発生する。つまり、支持部２０７ａ，２０７ｂは、投射光学素子３６０を＋Ｚ軸方向に押す。
【０３０１】
図１５（Ｂ）に示す構成では、支持部２０７ａ，２０７ｂは、投射光学素子３６０の脚部３０２ａ，３０２ｂに接している。図１５（Ｂ）では、支持部２０７ａ，２０７ｂは、投射光学素子３６０の脚部３０２ａ，３０２ｂを＋Ｚ軸方向に押す。
【０３０２】
このため、ばね部材２８０の変形により生じた＋Ｚ軸方向のばね力は、投射光学素子３６０を＋Ｚ軸方向に押す力となる。
【０３０３】
また、投射光学素子３６０は、当接部３０１ｅが当接部４０２ｃに接することによって、保持部材４０に対して、＋Ｚ軸方向へ移動することができない。従って、投射光学素子３６０は、ばね部材２８０の変形により生じた＋Ｚ軸方向のばね力によって、保持部材４に保持される。
【０３０４】
一方、中央部２０６が＋Ｚ軸方向に凸形状となるように撓み部２０１が変形することによって、中央部２０６は、−Ｚ軸方向のばね力を発生させる。つまり、中央部２０６は、集光レンズ１ｃを−Ｚ軸方向に押す。
【０３０５】
図１５（Ｂ）に示す構成では、中央部２０６ａ，２０６ｂは、集光レンズ１ｃの押圧部１０３ａ，１０３ｂに接している。図１５（Ｂ）では、中央部２０６は、集光レンズ１ｃの押圧部１０３を−Ｚ軸方向に押している。
【０３０６】
このため、ばね部材２８０の変形によって生じた−Ｚ軸方向のばね力は、集光レンズ１ｃを−Ｚ軸方向に押す力となる。
【０３０７】
また、集光レンズ１ｃは、発光部５に接している。また、発光部５は、放熱器６１０の取り付け面６１３ａに接している。そして、放熱器６１０の取り付け面６０３ｂ，６０３ｃは、保持部材４０の当接部４０２ａ，４０２ｂに接している。従って、集光レンズ１ｃ及び発光部５は、ばね部材２８０の変形により生じた−Ｚ軸方向のばね力によって、放熱器６１０に保持される。
【０３０８】
変形例５によれば、ばね部材２８０の変形で生じるばね力によって、振動または熱が加わる車載環境下においても、集光レンズ１ｃ、投射光学素子３６０及び発光部５を保持することができる。
【０３０９】
＜変形例６＞
図１６及び図１７は、変形例６に関する斜視分解図である。
【０３１０】
≪集光レンズ１に対する投射レンズ３の位置精度≫
図１の前照灯１００では、集光レンズ１は、基板５１に当接している。基板５１は、放熱器６に当接している。放熱器６は、保持部材４に当接している。そして、投射レンズ３は、保持部材４に当接している。
【０３１１】
そのため、集光レンズ１に対する投射レンズ３の位置決めには、４つの部品の寸法公差が加算される。４つの部品の寸法公差は、集光レンズ１のレンズ部１０ａから当接部１０７までの寸法公差、基板５１の厚み公差、保持部材４の当接部４０２から当接部４０４までの寸法公差および投射レンズ３の当接部３０１からレンズ部３０ａまでの寸法公差である。変形例６では、集光レンズ１に対する投射レンズ３の位置決め精度の改善を行っている。
【０３１２】
図１６の基板５１は、図１の基板５１よりも大きい。図１の基板５１よりも図１６の基板５１はＹ軸方向に長い。
【０３１３】
そして、前照灯１６０が組み立てられると、基板５１は保持部材４に当接する。図１６では、基板５１の発光素子５２が実装されている面は、保持部材４の当接部４０２に接している。
【０３１４】
つまり、集光レンズ１に対する投射レンズ３の位置決めには、３つの部品の寸法公差が加算される。３つの部品の寸法公差は、集光レンズ１のレンズ部１０ａから当接部１０７（−Ｚ軸側の面）までの寸法公差、保持部材４の当接部４０２から当接部４０４までの寸法公差および投射レンズ３の当接部３０１からレンズ部３０ａまでの寸法公差である。前照灯１００と比較して、基板５１の厚み公差が省かれている。
【０３１５】
図１７の集光レンズ１の当接部１０７は、図１の集光レンズ１の当接部１０７よりも大きい。図１の集光レンズ１の当接部１０７よりも図１７の集光レンズ１の当接部１０７はＹ軸方向に長い。
【０３１６】
そして、前照灯１７０が組み立てられると、集光レンズ１の当接部１０７は保持部材４に当接する。図１７では、集光レンズ１の当接部１０７の＋Ｚ軸側の面は、保持部材４の当接部４０２に接している。＋Ｚ軸側は、集光レンズ１が光を出射する方向である。
【０３１７】
つまり、集光レンズ１に対する投射レンズ３の位置決めには、３つの部品の寸法公差が加算される。３つの部品の寸法公差は、集光レンズ１のレンズ部１０ａから当接部１０７（＋Ｚ軸側の面）までの寸法公差、保持部材４の当接部４０２から当接部４０４までの寸法公差および投射レンズ３の当接部３０１からレンズ部３０ａまでの寸法公差である。前照灯１００と比較して、基板５１の厚み公差が省かれている。
【０３１８】
これらのように、保持部材４に光源ユニット５５を突き当てる部分を変更することで、集光レンズ１に対する投射レンズ３の位置精度を向上することができる。
【０３１９】
≪遮光板２１０≫
変形例６に記載されたばね部材２９０には、遮光板２１０が設けられている。
【０３２０】
遮光板２１０は、集光レンズ１から出射された光の一部を遮光する。そして、遮光板２１０は、例えば、配光パターン（第１の配光パターン）を形成する。例えば、遮光板２１０によって、例えば、カットオフラインが形成される。
【０３２１】
図１６、１７では、遮光板２１０は、ばね部材２９０の接続部２０４ａに接続されている。遮光板２１０は、接続部２０４ａの＋Ｚ軸側の端部に接続されている。
【０３２２】
遮光板２１０には、開口部２１０ａが設けられている。例えば、開口部２１０ａの形状で、立ち上がりラインの形状を形成することができる。立ち上がりラインは、すれ違い灯（ロービーム）に用いられる。すれ違い灯の配光パターンは、例えば、日本のような左側通行制の国では左上がりの折曲したカットオフラインを有している。
【０３２３】
このように、ばね部材２９０に遮光板２１０を設けることで、容易に配光パターン（第１の配光パターン）を形成することができる。
【０３２４】
なお、上述の各実施の形態においては、前照灯に用いることを例として説明しているが、本発明はこれに限るものではない。
【０３２５】
なお、上述の各実施の形態においては、「平行」または「垂直」などの部品間の位置関係又は部品の形状を示す用語を用いている場合がある。これらは、製造上の公差や組立て上のばらつきなどを考慮した範囲を含む。このため、請求の範囲に部品間の位置関係または部品の形状を示す記載した場合には、これらの記載は、製造上の公差又は組立て上のばらつき等を考慮した範囲を含む。
【０３２６】
また、上述の実施の形態および変形例では、真直ぐな状態の撓み部２０１を押圧部１０３，３５１で曲げている。しかし、湾曲した状態の撓み部２０１を押圧部１０３，３５１で真直ぐな状態にしても良い。どちらでも撓み部２０１はばね力を発生させることができる。
【０３２７】
なお、以上のように本発明の実施の形態について説明したが、本発明はこれらの実施の形態に限るものではない。
【０３２８】
以上の各実施の形態を基にして、以下に発明の内容を付記（１）及び付記（２）として記載する。付記（１）と付記（２）とは、各々独立して符号を付している。そのため、例えば、付記（１）と付記（２）との両方に、「付記１」が存在する。
【０３２９】
また、付記（１）の特徴と付記（２）の特徴とを組み合わせることができる。
【０３３０】
＜付記（１）＞
＜付記１＞
光を発する光源と、
前記光を透過する第一の光学素子と、
前記第一の光学素子が透過した光を透過する第二の光学素子と、
前記光源、前記第一の光学素子及び前記第二の光学素子を保持する保持部材と、
前記保持部材に対して前記第二の光学素子を押し当て、前記光源に対して前記第一の光学素子を押し当てるばね部材と
を備え、
前記ばね部材は、長尺形状の撓み部を含み、
前記第二の光学素子は、前記撓み部の両端部に接し、前記第一の光学素子は、前記第二の光学素子の反対側から前記撓み部の中央部に接し、前記光源が前記保持部材に保持されると前記撓み部が撓む光学素子の保持構造。
【０３３１】
＜付記２＞
前記撓み部は、前記第一の光学素子の光軸と前記第二の光学素子の光軸とを挟むように配置される付記１に記載の光学素子の保持構造。
【０３３２】
＜付記３＞
前記第一の光学素子の光軸に垂直な方向の前記第一の光学素子の寸法を第一の寸法とし、前記第二の光学素子の光軸に垂直な方向の前記第二の光学素子の寸法を第二の寸法とすると、
前記撓み部は、前記第二の寸法が前記第一の寸法よりも大きい方向に、前記長尺の方向が向くように配置されている付記２に記載の光学素子の保持構造。
【０３３３】
＜付記４＞
前記第一の光学素子は、集光レンズであり、前記第二の光学素子は投射レンズである付記１から３のいずれか１つに記載の光学素子の保持構造。
【０３３４】
＜付記（２）＞
＜付記１＞
光を発する発光素子を含む光源と、
前記光を透過する第一の光学素子と、
前記第一の光学素子が透過した光を透過する第二の光学素子と、
前記第二の光学素子を保持する保持部材と、
撓みによってばね力を発生するばね部を備え、前記ばね力によって前記第二の光学素子を前記保持部材に押し当て、前記第二の光学素子を前記保持部材に保持するばね部材と
を備え、
前記第一の光学素子と前記第二の光学素子とによって、前記ばね部の長辺方向の中央部は前記ばね部の長辺方向の両方の端部に対して撓む照明装置。
【０３３５】
＜付記２＞
前記第一の光学素子は、前記ばね部の長辺方向の中央部に接する押圧部を備え、
前記第二の光学素子は、前記第二の光学素子の径方向の端部に、前記ばね部の長辺方向の両方の端部を支持する支持部を備え、
前記ばね部の長辺方向の両方の端部に対して、前記押圧部が前記中央部を前記第二の光学素子の方向に押して、前記ばね部を撓ませる付記１に記載の照明装置。
【０３３６】
＜付記３＞
前記第一の光学素子は、前記第一の光学素子の径方向の端部に、前記ばね部の長辺方向の両方の端部を支持する支持部を備え、
前記第二の光学素子は、前記ばね部の長辺方向の中央部に接する押圧部を備え、
前記ばね部の長辺方向の中央部に対して、前記支持部が前記ばね部の長辺方向の両方の端部を前記第二の光学素子の方向に押して、前記ばね部を撓ませる付記１に記載の照明装置。
【０３３７】
＜付記４＞
前記ばね部の長辺方向の両方の端部は、前記支持部に対して、前記ばね部の撓みに応じて回転可能に支持される付記２または３に記載の照明装置。
【０３３８】
＜付記５＞
前記ばね部の長辺方向の両方の端部は、前記支持部に対して、前記ばね部の撓みに応じて前記ばね部の長手方向に移動可能に支持される付記２から４のいずれか１つに記載の照明装置。
【０３３９】
＜付記６＞
前記ばね部は、前記保持部材の内側の面から離れて配置される付記１から５のいずれか１つに記載の照明装置。
【０３４０】
＜付記７＞
前記ばね部は、板形状をしている付記１から６のいずれか１つに記載の照明装置。
【０３４１】
＜付記８＞
前記ばね部材は、２つの前記ばね部と前記２つのばね部の端部を接続する２つの接続部とを備え、
前記２つのばね部は、前記第二の光学素子の光軸を挟んで対向して配置され、
前記２つの接続部は、前記第二の光学素子の光軸を挟んで対向して配置される付記１から７のいずれか１つに記載の照明装置。
【０３４２】
＜付記９＞
前記接続部は、前記ばね部材を前記保持部材に引っ掛ける第一の引掛け部を備える付記８に記載の照明装置。
【０３４３】
＜付記１０＞
前記ばね部材は、前記保持部材に対して第二の光学素子の光軸方向に移動できる付記８に記載の照明装置。
【０３４４】
＜付記１１＞
前記ばね部材は、前記第一の引掛け部によって前記保持部材に保持される付記９または１０に記載の照明装置。
【０３４５】
＜付記１２＞
前記第一の引掛け部による保持によって、前記ばね部は、前記保持部材の内側の面から離れて配置される付記１１に記載の照明装置。
【０３４６】
＜付記１３＞
前記接続部は、前記ばね部材を前記第一の光学素子に引っ掛ける第二の引掛け部を備える付記８から１２のいずれか１つに記載の照明装置。
【０３４７】
＜付記１４＞
前記ばね部材は、前記第一の光学素子に対して前記第一の光学素子の光軸方向に移動できる付記１３に記載の照明装置。
【０３４８】
＜付記１５＞
前記ばね部材は、前記第二の引掛け部によって前記第一の光学素子に保持される付記１３または１４に記載の照明装置。
【０３４９】
＜付記１６＞
前記第二の引掛け部による保持によって、前記ばね部は、前記保持部材の内側の面から離れて配置される付記１５に記載の照明装置。
【０３５０】
＜付記１７＞
前記接続部は、前記ばね部材を前記第二の光学素子に引っ掛ける第三の引掛け部を備える付記８から１６のいずれか１つに記載の照明装置。
【０３５１】
＜付記１８＞
前記ばね部材は、前記第二の光学素子に対して第二の光学素子の光軸方向に移動できる付記１７に記載の照明装置。
【０３５２】
＜付記１９＞
前記ばね部材は、前記第三の引掛け部によって前記第二の光学素子に保持される付記１７または１８に記載の照明装置。
【０３５３】
＜付記２０＞
前記第三の引掛け部による保持によって、前記ばね部は、前記保持部材の内側の面から離れて配置される付記１９に記載の照明装置。
【０３５４】
＜付記２１＞
前記第一の光学素子は、前記発光素子の発する前記光を集光する集光レンズである付記１から２０のいずれか１つに記載の照明装置。
【０３５５】
＜付記２２＞
前記第二の光学素子は、前記第一の光学素子を透過した光を投射する投射レンズである付記１から２１のいずれか１つに記載の照明装置。
【０３５６】
＜付記２３＞
前記接続部は、前記第一の光学素子を透過した光を遮光する遮光板を備え、
前記第二の光学素子は、前記遮光板で形成された配光パターンを投影する付記２２に記載の照明装置。
【０３５７】
＜付記２４＞
前記第二の光学素子は、前記第一の光学素子を透過した光を投射する投射光学素子である付記１から２１のいずれか１つに記載の照明装置。
【０３５８】
＜付記２５＞
前記第二の光学素子は、前記第二の光学素子に入射した前記光を反射する反射面と前記反射面で反射された光を出射する出射面とを備え、
前記出射面は、前記反射面の形成した配光パターンを投影する付記２４に記載の照明装置。
【０３５９】
＜付記２６＞
前記接続部は、前記第一の光学素子を透過した光を遮光する遮光板を備える付記８に記載の照明装置。
【０３６０】
＜付記２７＞
前記第一の光学素子は、前記光源に対して位置決めされ、
前記光源は、前記保持部材に対して位置決めされる付記１から２６のいずれか１つに記載の照明装置。
【０３６１】
＜付記２８＞
前記光源は、放熱器を備え、
前記放熱器は、前記保持部材に対して位置決めされる付記２７に記載の照明装置。
【０３６２】
＜付記２９＞
前記第一の光学素子は、前記保持部材に対して位置決めされる付記１から２６のいずれか１つに記載の照明装置。
【０３６３】
＜付記３０＞
付記１から２９のいずれか１つの照明装置を備える車両に用いられる照明装置。
【０３６４】
＜付記３１＞
付記１から２９のいずれか１つの照明装置を備える前照灯。
【符号の説明】
【０３６５】
１００，１１０，１２０，１３０，１４０，１５０  前照灯、  １，１ａ，１ｂ，１ｃ  集光レンズ、  １０ａ  レンズ部、  １０１  屈折部、  １０２反射部、  １０３ａ，１０３ｂ  押圧部、  １０４ａ，１０４ｂ  位置決め穴、  １０５，１０５ａ，１０５ｂ  凸部、  １０６，１０６ａ，１０６ｂ  傾斜面、  １０７，１０７ａ，１０７ｂ  当接部、  １６１ａ，１６１ｂ  脚部、  ２，２３０，２５０，２７０，２８０，２９０  ばね部材、  ２０１，２０１ａ，２０１ｂ  撓み部、  ２０２ａ，２０２ｂ  引掛け部、  ２０２ａ１，２０２ｂ１  曲げ部、  ２０２ａ２，２０２ｂ２  先端部、  ２０３ａ，２０３ｂ，２０９ａ，２０９ｂ  保持穴、  ２０４，２０４ａ，２０４ｂ  接続部、  ２０５，２０５ａ，２０５ｂ，２０８，２０８ａ，２０８ｂ  保持部、  ２０６，２０６ａ，２０６ｂ  中央部、  ２０７，２０７ａ，２０７ｂ  支持部、  ２１０  遮光板、  ２１０ａ  開口部、  ３，３３０，３５０  投射レンズ、  ３０ａ  レンズ部、  ３０１ａ，３０１ｂ，３０１ｃ，３０１ｄ，３０１ｅ  当接部、  ３０２ａ，３０２ｂ  脚部、  ３０３，３０３ａ，３０３ｂ  凸部、  ３０４，３０４ａ，３０４ｂ  傾斜面、  ３５１  当接部、  ３６０  投射光学素子、  ３６１  反射面、  ３６２  出射面、  ３６３  導光部、  ４，４０  保持部材、  ４０１ａ，４０１ｂ  位置決め穴、  ４０２ａ，４０２ｂ，４０２ｃ，４０２ｃ１，４０２ｃ２  当接部、  ４０３ａ，４０３ｂ，４０３ｃ，４０３ｄ  ガイド面、  ４０４ａ，４０４ｂ，４０４ｃ，４０４ｄ  当接部、  ４０５ａ，４０５ｂ  穴、  ４０６ａ，４０６ｂ  傾斜面、  ４０７  開口部、  ４０８  底面部、  ５  発光部、  ５０  光源、  ５１  基板、  ５２  発光素子、  ５５  光源ユニット、  ５０１ａ，５０１ｂ  位置決め穴、  ６，６１０  放熱器、  ６０１ａ，６０１ｂ，６０２ａ，６０２ｂ  位置決めピン、  ６０３，６１３ａ，６１３ｂ，６１３ｃ  取り付け面、  ６０４  フィン。
【図１】
0006651016.tif 000002
【図２】
0006651016.tif 000003
【図３】
0006651016.tif 000004
【図４】
0006651016.tif 000005
【図５】
0006651016.tif 000006
【図６】
0006651016.tif 000007
【図７】
0006651016.tif 000008
【図８】
0006651016.tif 000009
【図９】
0006651016.tif 000010
【図１０】
0006651016.tif 000011
【図１１】
0006651016.tif 000012
【図１２】
0006651016.tif 000013
【図１３】
0006651016.tif 000014
【図１４】
0006651016.tif 000015
【図１５】
0006651016.tif 000016
【図１６】
0006651016.tif 000017
【図１７】
0006651016.tif 000018